(57)【特許請求の範囲】
【請求項１】
ネットワークコントローラにより、ワイヤレスネットワークのためのリソース割り当てプロポーザルを計算することと；
前記ネットワークコントローラにより、前記計算されたリソース割り当てプロポーザルを含むメッセージを一つ又は複数の他のネットワークコントローラに送信することと；
前記ネットワークコントローラが、前記送信したメッセージに応じて、前記１つ又は複数の他のネットワークコントローラから前記ワイヤレスネットワークのための別のリソース割り当てプロポーザルを受信しない場合は、前記リソース割り当てプロポーザルを実行に移すことと；
を含む、方法。
【請求項２】
前記ネットワークコントローラが、前記送信したメッセージに応じて前記１つ又は複数の他のネットワークコントローラから前記ワイヤレスネットワークのための別のリソース割り当てプロポーザルを受信した場合は、前記ネットワークコントローラにより、前記別のリソース割り当てプロポーザルをランク付けすることと；
前記ネットワークコントローラにより、前記別のリソース割り当てプロポーザルのランク付けの結果を、前記ワイヤレスネットワークにサービスを提供している一つ又は複数のネットワークコントローラに送信することと；
を含む、請求項１に記載の方法。
【請求項３】
ネットワークコントローラによって、ワイヤレスネットワークのためのリソース割り当てプロポーザルを含むメッセージを、送信元ネットワークコントローラから受信することと；
前記受信したメッセージに応答して、前記ワイヤレスネットワークのためのリソース割り当てプロポーザルの計算を完了することと；
前記ネットワークコントローラによって、前記計算を完了したリソース割り当てプロポーザルを、前記送信元ネットワークコントローラ及びゼロ以上の他のネットワークコントローラに送信することと；
を含む、方法であって、さらに、
前記送信元ネットワークコントローラから受信したリソース割り当てプロポーザルと、ゼロ以上の他のネットワークコントローラから受信したゼロ以上の他のリソース割り当てプロポーザルとを、前記ネットワークコントローラによりそれぞれランク付けすることと；
前記ネットワークコントローラにより、前記受信した一つ又は複数のリソース割り当てプロポーザルに対するランク付けの結果を、前記ワイヤレスネットワークにサービスを提供している一つ又は複数のネットワークコントローラに送信することと；
を含む、方法。
【請求項４】
ワイヤレスネットワークにサービスを提供しているネットワークコントローラによって、一つ又は複数の他のネットワークコントローラから届いたリソース割り当てプロポーザルのランキングを受信することと；
前記ネットワークコントローラによって、リソース割り当てプロポーザルの前記受信したランキングに基づいて、前記一つ又は複数の他のネットワークコントローラから届いた個々のリソース割り当てプロポーザルのためにスコア値を決定することと；
前記ネットワークコントローラによって、前記決定したスコア値に基づいて、リソース割り当てプロポーザルを選択することと；
前記ワイヤレスネットワークにおいて、前記選択されたリソース割り当てプロポーザルを実行に移すことと；
を含む、方法。
【請求項５】
前記選択されたリソース割り当てプロポーザルは、決定されたスコア値が最も高いものである、請求項４に記載の方法。
【請求項６】
コンピュータで実行されると、請求項１から４のいずれかの請求項に記載の方法を実行させるように構成されるコンピュータ読み取り可能なプログラム命令を含む、コンピュータプログラム。
【請求項７】
ワイヤレスネットワークのためのリソース割り当てプロポーザルを計算する手段と；
前記計算されたリソース割り当てプロポーザルを含むメッセージを一つ又は複数の他のネットワークコントローラに送信する手段と；
前記送信したメッセージに応じて、前記１つ又は複数の他のネットワークコントローラから前記ワイヤレスネットワークのための別のリソース割り当てプロポーザルを受信しない場合は、前記リソース割り当てプロポーザルを実行に移す手段と；
を備える、装置。
【請求項８】
前記送信したメッセージに応じて前記１つ又は複数の他のネットワークコントローラから前記ワイヤレスネットワークのための別のリソース割り当てプロポーザルを受信した場合は、前記ネットワークコントローラにより、前記別のリソース割り当てプロポーザルをランク付けする手段と；
前記別のリソース割り当てプロポーザルのランク付けの結果を、前記ワイヤレスネットワークにサービス中の一つ又は複数のネットワークコントローラに送信する手段と；
を有する、請求項７に記載の装置。
【請求項９】
ワイヤレスネットワークのためのリソース割り当てプロポーザルを含むメッセージを、送信元ネットワークコントローラから受信する手段と；
前記受信したメッセージに高騰して、前記ワイヤレスネットワークのためのリソース割り当てプロポーザルの計算を完了する手段と；
前記計算を完了したリソース割り当てプロポーザルを、前記送信元ネットワークコントローラ及びゼロ以上の他のネットワークコントローラに送信する手段と；
を備える、装置であって、さらに、
前記送信元ネットワークコントローラから受信したリソース割り当てプロポーザルと、ゼロ以上の他のネットワークコントローラから受信したゼロ以上の他のリソース割り当てプロポーザルとをそれぞれランク付けする手段と；
前記受信した一つ又は複数のリソース割り当てプロポーザルに対するランク付けの結果を、前記ワイヤレスネットワークにサービスを提供している一つ又は複数のネットワークコントローラに送信する手段と；
を備える、装置。
【請求項１０】
装置であって；
前記装置はワイヤレスネットワークにサービスを提供しており、
一つ又は複数の他のネットワークコントローラから届いたリソース割り当てプロポーザルのランキングを受信する手段と；
リソース割り当てプロポーザルの前記受信したランキングに基づいて、前記一つ又は複数の他のネットワークコントローラから届いた個々のリソース割り当てプロポーザルのためにスコア値を決定する手段と；
前記決定したスコア値に基づいて、リソース割り当てプロポーザルを選択する手段と；
前記ワイヤレスネットワークにおいて、前記選択されたリソース割り当てプロポーザルを実行に移す手段と；
を備える、装置。
【請求項１１】
前記選択されたリソース割り当てプロポーザルは、決定されたスコア値が最も高いものである、請求項１０に記載の装置。
【請求項１２】
互いに通信するための手段を有する複数のネットワークコントローラであって、各々少なくとも一つのワイヤレスネットワークにサービスを提供している複数のネットワークコントローラを備えるシステムであって；
前記複数のネットワークコントローラのうち少なくとも一つが、該複数のネットワークコントローラのうち少なくとも二つから、ワイヤレスネットワークのための少なくとも二つのリソース割り当てプロポーザルと、前記少なくとも二つのリソース割り当てプロポーザルの各々についてのランク付け情報とを受信し、前記複数のネットワークコントローラのうちの前記少なくとも一つは、前記少なくとも二つのリソース割り当てプロポーザルの各々についてランク付けを行い；
前記複数のネットワークコントローラのうちの前記少なくとも一つが前記ワイヤレスネットワークにサービスを提供している場合、前記少なくとも二つのリソース割り当てプロポーザルについての自身のランク付け及び前記受信したランク付け情報に基づいて、最も高くランク付けされたリソース割り当てプロポーザルを選択する；
システム。
【発明の詳細な説明】
【技術分野】
【０００１】
本発明の分野は無線スペクトルの効率的な使用に関し、より詳細には、RFのホワイトスペースにおけるリソース割り当ての衝突の解消に関する。
【背景】
【０００２】
多くの国において、電磁波スペクトルにおける無線周波数帯域の使用は、政府によって規制されている。個々の帯域は特定のタイプについて使用するように割り当てられており、ラジオやテレビ放送、セルラ電話や携帯ネットワークのような商業的な用途のために帯域のライセンスを出している。例えば、CDMA2000やWCDMA、HSPA、LTE、IMTのためにライセンスされている。他にも、海洋ラジオ、警察、消防、公共の安全のためのラジオ、GPS、電波天文観測、衛星通信のための地上基地局、その他多くの用途のために帯域が割り当てられている。政府はまた、ライセンスの不要な帯域の割り当ても行っている。例えば、地方におけるブロードバンドアクセスのための無線地域ネットワーク（WRAN；Wireless Regional Area Network）や無線LAN（WLAN）、工業的又は科学的な使用のための無線パーソナルエリアネットワーク（WPAN）、医療用バンド（ISMバンド）などである。
【０００３】
アメリカ合衆国においては、連邦通信委員会（FCC；Federal Communications Commission）が、ラジオやテレビの放送を含む無線スペクトルの使用を調整している。帯域の計画に従って各周波数が割り当てられ、割り当てられた無線帯域の間には、隣接する信号との干渉を防止するためのカードバンド（保護周波数帯域）が割り当てられる。スペクトルの中には、これまで一度も使用されたことがないか、又は技術の変化の結果として使用されなくなったために、割り当てられていない周波数帯域も存在する。割り当てられていない周波数や使用されていない周波数は、地方によって局所的に存在している場合もあり、それらの周波数は他の場所では何がしかの用途に割り当てられていたりする。割り当てられていない周波数帯域やカードバンドはホワイトスペースと呼ばれる。
【０００４】
ライセンスを受けたサービスにより使用されていないテレビ放送用のスペクトルは、一般的に、テレビ帯ホワイトスペースと呼ばれている。テレビ帯ホワイトスペースには少なくとも二つのカテゴリが存在し、そのうちの一つは、FCCが以前にアナログ放送用にライセンス不要で使えるように割り当てられたスペクトル部分で、専用テレビ帯ホワイトスペース（Dedicated TV white space）と呼ばれる。もう一つは、ライセンスを受けたテレビ放送事業者によって、ある地域において局所的に使用されていないスペクトルである。
【０００５】
［1］専用テレビ帯ホワイトスペース：FCCは、連邦政府によって強制されたアナログテレビ放送からデジタルテレビ放送への移行のあとに使用されなくなった周波数帯域のうち、使用のためにライセンスが不要なホワイトスペースとして、およそ400MHzを提供した。しかしFCCは、ホワイトスペースのライセンス不要な使用が既存のライセンスを要する使用と干渉を引き起こすことを禁止した。既存のライセンスを要する使用とは、例えば、デジタルテレビ局や低出力テレビ局、ケーブルテレビのヘッドエンド、低出力のワイヤレスマイクを使用するサイトなどである。アナログテレビの終了により残されたホワイトスペースのライセンス不要な用途のために、様々な提案が出されている。例えば、地方のためのブロードバンドの展開や、公共の安全のための通信の予備に使用すること、教育用又は事業用のビデオ会議、消費者のためのアプリケーション、メッシュネットワーク、安全のためのアプリケーション、地方自治体のブロードバンドアクセス、局所的な通信可能範囲や通信の強化、固定されたアップリンク、スマートグリッドの計測器のデータを読むためのセンサを集約すること、などである。
【０００６】
［2］ライセンスを受けたテレビ放送事業者によって局所的に使用されていないスペクトル：FCCは、ライセンスを受けた放送業者が使用していないスペクトル領域において、ブロードバンドテレビスペクトル帯の中でライセンス不要の無線送信機が動作することを許すルールを投入した。FCCは、ライセンス不要の無線送信機が使用可能なチャネルを見つける方法として、二つのメカニズムを提案している。その一つは地理的位置とデータベースに基づくアプローチであり、もう一つはスペクトルの計測に基づくアプローチである。ライセンス不要の送信機は、これらのうちいずれか一つのメカニズムを使用することが必要である。FCCは、ライセンス不要の送信機が位置を確立するための地理的位置情報と、ライセンスされた放送業者が使用しており彼らの地理的なサービスエリアにより管理されているテレビ帯のデータベースとを使用して、ライセンス不要の送信機が、どこで局所的なテレビ帯ホワイトスペースを利用可能であるかを知ることができるようにすること提案している。FCCは、ライセンス不要の送信機がスペクトルセンサを使用して、ローカルなテレビ帯の中の現在の一次テレビ事業者の信号を検出し、ライセンス不要の送信機が帯域を使用することをすぐにやめることができるようにすることを提案している。ローカルテレビ帯域の一次利用者は、その帯域を使用することについてライセンスを受けている現在テレビ事業者である。しかし、ある地理的領域において、現在ライセンスを受けて事業を行っているテレビ放送業者がいない場合、ライセンスを受けていないその他の利用者がその帯域を活用するするかもしれない。テレビ帯にはまた、PMSE（Program Making and Special Events）システムなど、一般の利用者が干渉すべきでない既存の使用が存在する場合もある。
【０００７】
アメリカ合衆国以外の国においても、テレビ帯ホワイトスペースにおけるライセンス不要の二次的な利用を可能にすることについての議論が行われている。その要求は国によって少しずつ異なっており、例えばアメリカ合衆国においては、ライセンス不要のデバイスの最大送信出力はデバイスの種類によって決まっているが、ヨーロッパでは、場所に応じた最大送信出力が考慮されてきた。この場合、ライセンス不要なデバイスに許される最大送信出力は、デバイスの地理的位置に依存することになり、例えば、一次利用者からの距離に依存することになる。エミッションマスク（Emission mask）やACLR（Adjacent Channel Leakage Ratio）などのデバイスの特性も、許される最大送信出力に影響を及ぼす場合もある。
【０００８】
無線スペクトルのホワイトスペースには他のものもある。ある地理的範囲においてローカルに使用されていない無線スペクトルがあり、例えば、海上無線のために割り当てられた周波数帯域であって、海洋から離れた陸地に囲まれた水域における周波数帯域がそのようなものの例である。海上無線帯域の一次利用者は、その帯域でサービスを提供することを許可された海上無線局であろうが、ライセンスを受けた海上無線事業者が存在しないような地理的範囲においては、ライセンスを受けていない二次的な利用者がその帯域を活用するかもしれない。同様に、局所的に使用されていないホワイトスペースが、特定の地理的範囲に存在するかもしれない。例えば、衛星通信のために送信を行う地上基地局のために割り当てられている2.025GHzから2.110GHzの周波数帯域は、これらの地上基地局から離れた領域ではそのようなホワイトスペースである。このような地上基地局の無線帯域の一次利用者は、その帯域で動作することをライセンスされた地上基地局であろうが、そのような地理的領域では、動作している衛星地上基地局は存在せず、ライセンスを受けていない別の二次利用者がその帯域を活用するかもしれない。ライセンスを受けていないスキームの他にも、スペクトルの二次利用のためのスキームが存在するかもしれない。例えばライセンス、政府により定められるポリシ、認識原理、認可共有アクセスに基づくスキームなどが存在してもよい。
【摘要】
【０００９】
無線スペクトルの効率的な使用に関し、特にRFのホワイトスペースにおけるリソース割り当ての衝突の解消に関する方法や装置、コンピュータプログラム製品が開示される。
【００１０】
本発明の例示的実施形態は、次のような方法を含む。 この方法は：
ネットワークコントローラにより、ワイヤレスネットワークのためのリソース割り当てプロポーザルを計算することと；
前記ネットワークコントローラにより、前記計算されたリソース割り当てプロポーザルを含むメッセージを一つ又は複数の他のネットワークコントローラに送信することと；
前記ネットワークコントローラが、前記送信したメッセージに応じて、前記１つ又は複数の他のネットワークコントローラから前記ワイヤレスネットワークのための別のリソース割り当てプロポーザルを受信しない場合は、前記リソース割り当てプロポーザルを実行に移すことと；
を含む。
【００１１】
本発明の例示的実施形態は、次のような方法を含む。この方法は：
前記ネットワークコントローラが、前記送信したメッセージに応じて前記1つ又は複数の他のネットワークコントローラから前記ワイヤレスネットワークのための別のリソース割り当てプロポーザルを受信した場合は、前記ネットワークコントローラにより、前記別のリソース割り当てプロポーザルをランク付けすることと；
前記ネットワークコントローラにより、前記別のリソース割り当てプロポーザルのランク付けの結果を、前記ワイヤレスネットワークにサービスを提供している一つ又は複数のネットワークコントローラに送信することと；
を含む。
【００１２】
本発明の例示的実施形態は、次のような方法を含む。この方法は：
ネットワークコントローラによって、ワイヤレスネットワークのためのリソース割り当てプロポーザルを含むメッセージを、送信元ネットワークコントローラから受信することと；
前記受信したメッセージに高騰して、前記ワイヤレスネットワークのためのリソース割り当てプロポーザルの計算を完了することと；
前記ネットワークコントローラによって、前記計算を完了したリソース割り当てプロポーザルを、前記送信元ネットワークコントローラ及びゼロ以上の他のネットワークコントローラに送信することと；
を含む。
【００１３】
本発明の例示的実施形態は、次のような方法を含む。この方法は：
前記送信したメッセージに応じて、送信元ネットワークコントローラから受信したリソース割り当てプロポーザルと、ゼロ以上の他のネットワークコントローラから受信したゼロ以上の他のリソース割り当てプロポーザルとを、前記ネットワークコントローラによりそれぞれランク付けすることと；
前記ネットワークコントローラにより、前記受信した一つ又は複数のリソース割り当てプロポーザルのランク付けの結果を、前記ワイヤレスネットワークにサービスを提供している一つ又は複数のネットワークコントローラに送信することと；
を含む。
【００１４】
本発明の例示的実施形態は、次のような方法を含む。この方法は：
ワイヤレスネットワークにサービスを提供しているネットワークコントローラによって、一つ又は複数の他のネットワークコントローラから届いたリソース割り当てプロポーザルのランキングを受信することと；
前記ネットワークコントローラによって、リソース割り当てプロポーザルの前記受信したランキングに基づいて、前記一つ又は複数の他のネットワークコントローラから届いた個々のリソース割り当てプロポーザルのためにスコア値を決定することと；
前記ネットワークコントローラによって、前記決定したスコア値に基づいて、リソース割り当てプロポーザルを選択することと；
前記ワイヤレスネットワークにおいて、前記選択されたリソース割り当てプロポーザルを実行に移すことと；
を含む。
【００１５】
本発明の例示的実施形態は、次のような方法を含む。この方法は：
ネットワークコントローラによって、前記ワイヤレスネットワークに隣接する一つ又は複数のワイヤレスネットワークのためのリソース割り当てプロポーザルを含むメッセージを、送信元ネットワークコントローラから受信することと；
前記メッセージに応答して、ワイヤレスネットワーク及びそのワイヤレスネットワークに隣接する一つ又は複数のワイヤレスネットワークためにリソース割り当てプロポーザルの計算を完了することと；
を含む。
【００１６】
本発明の例示的実施形態は、次のような方法を含む。この方法は：
前記選択されたリソース割り当てプロポーザルは、決定されたスコア値が最も高いものである。
【００１７】
本発明の例示的実施形態は、次のような装置を含む。この装置は：
少なくとも1つのプロセッサと；
コンピュータプログラムコードを含む少なくとも一つのメモリと；
を備え、前記少なくとも一つのメモリ及び前記プログラムコードは、前記少なくとも一つのプロセッサと共に、前記装置に、少なくとも：
ワイヤレスネットワークのためのリソース割り当てプロポーザルを計算することと；
前記計算されたリソース割り当てプロポーザルを含むメッセージを一つ又は複数の他のネットワークコントローラに送信することと；
前記送信したメッセージに応じて、前記１つ又は複数の他のネットワークコントローラから前記ワイヤレスネットワークのための別のリソース割り当てプロポーザルを受信しない場合は、前記リソース割り当てプロポーザルを実行に移すことと；
を実行させるように構成される。
【００１８】
本発明の例示的実施形態は、次のような装置を含む。この装置は：
前記少なくとも一つのメモリ及び前記プログラムコードが、前記少なくとも一つのプロセッサと共に、前記装置に、少なくとも、
前記送信したメッセージに応じて前記1つ又は複数の他のネットワークコントローラから前記ワイヤレスネットワークのための別のリソース割り当てプロポーザルを受信した場合は、前記ネットワークコントローラにより、前記別のリソース割り当てプロポーザルをランク付けすることと；
前記別のリソース割り当てプロポーザルのランク付けの結果を、前記ワイヤレスネットワークにサービス中の一つ又は複数のネットワークコントローラに送信すること；
を実行させるように構成される。
【００１９】
本発明の例示的実施形態は、次のような装置を含む。この装置は：
少なくとも1つのプロセッサと；
コンピュータプログラムコードを含む少なくとも一つのメモリと；を備え、
前記少なくとも一つのメモリ及び前記プログラムコードが、前記少なくとも一つのプロセッサと共に、前記装置に、少なくとも、
ワイヤレスネットワークのためのリソース割り当てプロポーザルを含むメッセージを、送信元ネットワークコントローラから受信することと；
前記受信したメッセージに高騰して、前記ワイヤレスネットワークのためのリソース割り当てプロポーザルの計算を完了することと；
前記計算を完了したリソース割り当てプロポーザルを、前記送信元ネットワークコントローラ及びゼロ以上の他のネットワークコントローラに送信することと；
を実行させるように構成される。
【００２０】
本発明の例示的実施形態は、次のような装置を含む。この装置は：
前記少なくとも一つのメモリ及び前記プログラムコードが、前記少なくとも一つのプロセッサと共に、前記装置に、少なくとも、
前記送信したメッセージに応じて、送信元ネットワークコントローラから受信したリソース割り当てプロポーザルと、ゼロ以上の他のネットワークコントローラから受信したゼロ以上の他のリソース割り当てプロポーザルとをそれぞれランク付けすることと；
前記受信した一つ又は複数のリソース割り当てプロポーザルのランク付けの結果を、前記ワイヤレスネットワークにサービスを提供している一つ又は複数のネットワークコントローラに送信することと；
を実行させるように構成される。
【００２１】
本発明の例示的実施形態は、次のような装置を含む。この装置は：
少なくとも1つのプロセッサと；
コンピュータプログラムコードを含む少なくとも一つのメモリと；を備え、
前記少なくとも一つのメモリ及び前記プログラムコードが、前記少なくとも一つのプロセッサと共に、前記装置に、少なくとも、
一つ又は複数の他のネットワークコントローラから届いたリソース割り当てプロポーザルのランキングを受信すること、ただし前記装置はワイヤレスネットワークにサービスを提供していることと；
リソース割り当てプロポーザルの前記受信したランキングに基づいて、前記一つ又は複数の他のネットワークコントローラから届いた個々のリソース割り当てプロポーザルのためにスコア値を決定することと；
前記決定したスコア値に基づいて、リソース割り当てプロポーザルを選択することと；
前記ワイヤレスネットワークにおいて、前記選択されたリソース割り当てプロポーザルを実行に移すことと；
を実行させるように構成される。
【００２２】
本発明の例示的実施形態は、次のような装置を含む。この装置は：
前記少なくとも一つのメモリ及び前記プログラムコードが、前記少なくとも一つのプロセッサと共に、前記装置に、少なくとも、
前記ワイヤレスネットワークに隣接する一つ又は複数のワイヤレスネットワークのためのリソース割り当てプロポーザルを含むメッセージを、送信元ネットワークコントローラから受信することと；
前記メッセージに応答して、ワイヤレスネットワーク及びそのワイヤレスネットワークに隣接する一つ又は複数のワイヤレスネットワークためにリソース割り当てプロポーザルの計算を完了することと；
を実行させるように構成される。
【００２３】
本発明の例示的実施形態は、次のような装置を含む。この装置は：
前記選択されたリソース割り当てプロポーザルは、決定されたスコア値が最も高いものである。
【００２４】
本発明の例示的実施形態は、コンピュータ読み取り可能な非一時的記憶媒体に記録されたコンピュータ実行可能なプログラムコードを備えるコンピュータプログラム製品を含む。このコンピュータ実行可能なプログラムコードは：
ワイヤレスネットワークのためのリソース割り当てプロポーザルを計算するコードと；
前記計算されたリソース割り当てプロポーザルを含むメッセージを一つ又は複数の他のネットワークコントローラに送信するコードと；
前記送信したメッセージに応じて、前記１つ又は複数の他のネットワークコントローラから前記ワイヤレスネットワークのための別のリソース割り当てプロポーザルを受信しない場合は、前記リソース割り当てプロポーザルを実行に移すコードと；
を備える。
【００２５】
本発明の例示的実施形態は、次のようなコンピュータプログラム製品を含む。この製品は：
前記送信したメッセージに応じて前記1つ又は複数の他のネットワークコントローラから前記ワイヤレスネットワークのための別のリソース割り当てプロポーザルを受信した場合は、前記別のリソース割り当てプロポーザルをランク付けするコードと；
前記別のリソース割り当てプロポーザルのランク付けの結果を、前記ワイヤレスネットワークにサービス中の一つ又は複数のネットワークコントローラに送信するコードと；
を有する。
【００２６】
本発明の例示的実施形態は、コンピュータ読み取り可能な非一時的記憶媒体に記録されたコンピュータ実行可能なプログラムコードを備えるコンピュータプログラム製品を含む。このコンピュータ実行可能なプログラムコードは：
ワイヤレスネットワークのためのリソース割り当てプロポーザルを含むメッセージを、送信元ネットワークコントローラから受信するコードと；
前記受信したメッセージに高騰して、前記ワイヤレスネットワークのためのリソース割り当てプロポーザルの計算を完了することと；
前記計算を完了したリソース割り当てプロポーザルを、前記送信元ネットワークコントローラ及びゼロ以上の他のネットワークコントローラに送信するコードと；
を備える。
【００２７】
本発明の例示的実施形態は、次のようなコンピュータプログラム製品を含む。この製品は：
前記送信したメッセージに応じて、送信元ネットワークコントローラから受信したリソース割り当てプロポーザルと、ゼロ以上の他のネットワークコントローラから受信したゼロ以上の他のリソース割り当てプロポーザルとをそれぞれランク付けするコードと；
前記受信した一つ又は複数のリソース割り当てプロポーザルのランク付けの結果を、前記ワイヤレスネットワークにサービスを提供している一つ又は複数のネットワークコントローラに送信するコードと；
を有する。
【００２８】
本発明の例示的実施形態は、コンピュータ読み取り可能な非一時的記憶媒体に記録されたコンピュータ実行可能なプログラムコードを備えるコンピュータプログラム製品を含む。このコンピュータ実行可能なプログラムコードは：
ワイヤレスネットワークにサービスを提供している装置により、一つ又は複数のネットワークコントローラから届いたリソース割り当てプロポーザルのランキングを受信するコードと；
リソース割り当てプロポーザルの前記受信したランキングに基づいて、前記一つ又は複数のネットワークコントローラから届いた個々のリソース割り当てプロポーザルのためにスコア値を決定するコードと；
前記決定したスコア値に基づいて、リソース割り当てプロポーザルを選択するコードと；
前記ワイヤレスネットワークにおいて、前記選択されたリソース割り当てプロポーザルを実行に移すコードと；
を備える。
【００２９】
本発明の例示的実施形態は、次のようなコンピュータプログラム製品を含む。この製品は：
前記ワイヤレスネットワークに隣接する一つ又は複数のワイヤレスネットワークのためのリソース割り当てプロポーザルを含むメッセージを、送信元ネットワークコントローラから受信することと；
前記メッセージに応答して、ワイヤレスネットワーク及びそのワイヤレスネットワークに隣接する一つ又は複数のワイヤレスネットワークためにリソース割り当てプロポーザルの計算を完了するコードと；
を含む。
【００３０】
本発明の例示的実施形態は、次のようなコンピュータプログラム製品を含む。この製品は：
前記選択されたリソース割り当てプロポーザルは、決定されたスコア値が最も高いものである。
【００３１】
本発明の例示的実施形態は無線スペクトルを効率的に使用することや、RFのホワイトスペースにおけるリソース割り当ての衝突を解決することを提供する。
【図面の簡単な説明】
【００３２】
【図１Ａ】本発明の例示的実施形態に従うシステムアーキテクチャを説明するための略図である。この図には、第1及び第2のホワイトスペースオブジェクト（WSO）が描かれており、それぞれ、ホワイトスペーススペクトルについてのリソース割り当て要求を行う。この図には、第1及び第2のホワイトスペースオブジェクトに隣接して第3のホワイトスペースオブジェクト（WSO）も描かれている。第1のネットワークコントローラ又は共存マネージャ（coexistence manager）CM_Aは、第1のWSOにサービスを提供し、第1のWSOから第1のリソース割り当て要求を受信する。第1のWSOはホワイトスペースデバイス（WSD）のネットワークを含んでいる。第2のネットワークコントローラ又は共存マネージャCM_Cは、第2のWSOにサービスを提供し、また第2のWSOから第2のリソース割り当て要求を受信する。第2のWSOはWSDの第2のネットワークを含んでいる。本発明の例示的実施形態において、第1及び第2の共存セットの両方に含まれる第3のWSOのためのリソースの割り当てについて、第1のネットワークコントローラ又は共存マネージャCM_Aと第2のネットワークコントローラ又は共存マネージャCM_Cとの間には、リソース割り当ての衝突が存在する。
【図１Ｂ】本発明の例示的実施形態に従うシステムアーキテクチャの例である。図1Aに描かれる第1及び第2のネットワークコントローラまたは共存マネージャCM_A及びCM_Cが図1の第1及び第2のホワイトスペースオブジェクト（WSO）にサービスを提供している。図1Bには、第1及び第2のWSOに隣接して第3のWSOも描かれている。第1及び第3のWSOの組み合わせは第1のWSOのための共存セットを形成し、第2及び第3のWSOの組み合わせは第2のWSOのための共存セットを形成する。本発明の例示的実施形態において、第1及び第2の共存セットの両方に含まれる第3のWSOのためのリソースの割り当てについて、第1のネットワークコントローラ又は共存マネージャCM_Aと第2のネットワークコントローラ又は共存マネージャCM_Cとの間には、リソース割り当ての衝突が存在する。
【図１Ｃ】本発明の例示的実施形態に従うシステムアーキテクチャの例であり、図1Aのバリエーションである。この図には、追加のネットワークコントローラ又は共存マネージャCM_Xが描かれている。CM_Xは、第1のWSOであるA2と第2のWSOであるC2の両方に隣接するWSOであるXにサービスを提供している。本発明の例示的実施形態において、第1及び第2の共存セットの両方に含まれる第3のWSO Xのためのリソースの割り当てについて、第1のネットワークコントローラ又は共存マネージャCM_Aと第2のネットワークコントローラ又は共存マネージャCM_Cとの間には、リソース割り当ての衝突が存在する。
【図１Ｄ】図1Cに例示した本発明の実施形態に従うシステムアーキテクチャの例である。ここでは、本発明の例示的実施形態において、ネットワークコントローラ又は共存マネージャCM_Aが第1のリソース割り当てプロポーザル34Aを計算し、それをCMネットワークを介してネットワークコントローラ又は共存マネージャCM_X及びCM_Cに送信することが描かれている。 この例では、上記プロポーザルは、マルチキャスト送信によって送信されてもよく、また、ユニキャスト送信のシーケンスとして送信されてもよい。
【図１Ｅ】図1Cに例示した本発明の実施形態に従うシステムアーキテクチャの例である。ここでは、本発明の例示的実施形態において、ネットワークコントローラ又は共存マネージャCM_Cが第2のリソース割り当てプロポーザル34Cを計算し、それをCMネットワークを介してネットワークコントローラ又は共存マネージャCM_X及びCM_Aに送信することが描かれている。
【図１Ｆ】図1Cに例示した本発明の実施形態に従うシステムアーキテクチャの例である。ここでは、本発明の例示的実施形態において、ネットワークコントローラ又は共存マネージャCM_Xが第3のリソース割り当てプロポーザル34Xを計算し、それをCMネットワークを介してネットワークコントローラ又は共存マネージャCM_C及びCM_Aに送信することが描かれている。
【図１Ｇ】図1Cに例示した本発明の実施形態に従うシステムアーキテクチャの例である。ここでは、本発明の例示的実施形態において、ネットワークコントローラ又は共存マネージャCM_Aが、受信したリソース割り当てプロポーザル34C及び34Xをランク付けし、CMネットワークを介してランキングメッセージ37Aをネットワークコントローラ又は共存マネージャCM_Xにユニキャストすることが描かれている。CM_Xは、第1のWSOであるA2と第2のWSOであるC2の両方に隣接する第3のWSOであるXにサービスを提供している。
【図１Ｈ】図1Cに例示した本発明の実施形態に従うシステムアーキテクチャの例である。ここでは、本発明の例示的実施形態において、ネットワークコントローラ又は共存マネージャCM_Cが、受信したリソース割り当てプロポーザル34A及び34Xをランク付けし、CMネットワークを介してランキングメッセージ37Cをネットワークコントローラ又は共存マネージャCM_Xにユニキャストすることが描かれている。CM_Xは、第1のWSOであるA2と第2のWSOであるC2の両方に隣接する第3のWSOであるXにサービスを提供している。
【図１Ｉ】図1Cに例示した本発明の実施形態に従うシステムアーキテクチャの例である。ここでは、本発明の例示的実施形態において、第1のWSOであるA2と第2のWSOであるC2の両方に隣接する第3のWSO Xにサービスを提供しているネットワークコントローラ又は共存マネージャCM_Xが、受信したランキングメッセージ37A及び37Cに基づいて、採用されるリソース割り当てプロポーザルを選択することが描かれている。
【図２Ａ】本発明の例示的実施形態に従うネットワークダイアグラムであり、本発明の例示的な実施形態における例示的な第1のケースを描いている。図1Bにおける第1及び第2のネットワークコントローラ又は共存マネージャのいずれかと、第1のWSOのための第1の共存セットと、第2の共存セットとが描かれている。また、第3のネットワークコントローラ又は共存マネージャCMと、第1のWSO及び第2のWSOの両方に隣接する第3のWSOを含む第3の共存セットも描かれている。この第1のケースは、三つのネットワークコントローラ又は共存マネージャCMの間に、三つ全ての共存セットに含まれる第3のWSOのためのリソース割り当てに関してリソース割り当ての衝突が存在する。
【図２Ｂ】本発明の例示的実施形態に従う、図2Aのネットワークダイアグラムの例であり、図2Aの第1〜第3のネットワークコントローラ又は共存マネージャCMと、第1〜第3の共存セットが存在する第2の例示的なケースを描いている。本発明の実施形態に従うこの第2ケースでは、第1及び第2の共存セットに含まれる第3のWSOのためのリソースの割り当てに関して、第1及び第2のネットワークコントローラ又は共存マネージャCMの間にリソース割り当てに関する衝突が存在する。
【図２Ｃ】本発明の例示的実施形態に従う、図2Aのネットワークダイアグラムの例であり、図2Aの第1〜第3のネットワークコントローラ又は共存マネージャCMと、第1〜第3の共存セットが存在する第3の例示的なケースを描いている。本発明の実施形態に従うこの第3ケースでは、第1の共存セットに含まれる第3のWSOのためのリソースの割り当てに関して、第1のネットワークコントローラのみがリソース割り当ての計算を行っている。
【図３】本発明に従う非限定的な例示的な周波数帯域のダイアグラムである。図4に示されるような、米国バージニア州リッチモンドのテレビ放送チャネルを提供している有ライセンスのテレビ事業者が局所的に使用していないテレビ帯ホワイトスペースの中の、本発明のある実施形態従うTDMA共存フレームサブ帯域の例を描いている。図3はまた、FCCの専用テレビ帯ホワイトスペースの中のサブ帯域における例示的なTDMA共存フレームや、衛星地上局が局所的に使用していないホワイトスペーススペクトルの中のサブ帯域の例示的なTDMA共存フレームも描いている。
【図４】米国バージニア州リッチモンドの地図にテレビ放送チャネルのカバー範囲を重ねた例である。本発明のある実施形態に従い、有ライセンスの放送事業者が使用していない、局所的に利用可能なテレビ帯ホワイトスペースが描かれている。
【図５Ａ】本発明の例示的実施形態に従う機能ブロック図であり、例示的なマスタWSD1がワイヤレスデバイスのためのコントロールノード又は共存イネーブラを含むことが描かれている。本発明の例示的実施形態において、このデバイスは、隣接する無線ネットワークにおいて事業を行っている一次利用者電波が存在しないかもしれない、TVWS（テレビ帯ホワイトスペース）共存帯域又は更なるRFスペクトルホワイトスペーススペクトルで動作するように構成されてもよい。
【図５Ｂ】本発明の例示的実施形態に従う機能ブロック図であり、例示的なスレーブWSDがワイヤレスデバイスのためのコントロールノード又は共存イネーブラを含むことが描かれている。本発明の例示的実施形態において、このデバイスは、隣接する無線ネットワークにおいて事業を行っている一次利用者電波が存在しないかもしれない、TVWS（テレビ帯ホワイトスペース）共存帯域又は更なるRFスペクトルホワイトスペーススペクトルで動作するように構成されてもよい。
【図５Ｃ】本発明のある実施形態に従う例示的なネットワークダイアグラムであり、本発明の例示的実施形態に従い、コントロールノード又は共存イネーブラが、ネットワークコントローラ又は共存マネージャと、バックホール有線回線及び／又はインターネットリンクを介して通信することが描かれている。
【図６Ａ】本発明のある実施形態に従う例示的なフローダイアグラムであり、ワイヤレスネットワークからリソース割り当て要求を受け取る送信元ネットワークコントローラにおける処理ステップのフローダイアグラムである。
【図６Ｂ】本発明のある実施形態に従う例示的なフローダイアグラムであり、送信元ネットワークコントローラから衝突リクエスト及びリソース割り当てプロポーザルを受け取るネットワークコントローラにおける処理ステップのフローダイアグラムである。
【図６Ｃ】本発明のある実施形態に従う例示的なフローダイアグラムであり、リソース割り当て要求を送信したワイヤレスネットワークに隣接する一つ又は複数のワイヤレスネットワークにサービスを提供するネットワークコントローラにおける処理ステップのフローダイアグラムである。
【図７】本発明の例示的実施形態に従う例示的な周波数帯域ダイアグラムの例であり、携帯機器通信周波数帯域のアップリンク部分における、ペアリングされていないTDD周波数ホワイトスペースにおけるサブ帯域の中の例示的なTDMA共存フレームを描いている。
【図８】本発明の例示的な実施形態を描いたものであり、磁気的、電子的、及び／又は光学的な技術に基づくリムーバブルな記憶メディアであって、本発明の少なくとも一つの実施形態に従うコンピュータプログラム製品の例として、データ及び／又はコンピュータプログラムコードを格納するための、例えば磁気ディスクや光ディスク、半導体記憶回路デバイスやマイクロSDメモリカードのようなリムーバブル記憶メディアの例が描かれている。
【発明の例示的実施形態の詳解】
【００３３】
FCCは、連邦政府によって強制されたアナログテレビ放送からデジタルテレビ放送への移行のあとに使用されなくなった周波数帯域のうち、使用のためにライセンスが不要なホワイトスペースとして、300MHzから400MHzを開放した。しかしFCCは、ホワイトスペースのライセンス不要な使用が既存のライセンスを要する使用と干渉を引き起こすことを禁止した。既存のライセンスを要する使用とは、例えば、デジタルテレビ局や低出力テレビ局、ケーブルテレビのヘッドエンド、低出力のワイヤレスマイクを使用するサイトなどである。
【００３４】
FCCは、2010年9月23日に、FCC 10-174"Second Memorandum Opinion and Order"（意見および指令の第2メモ）として、二次的なホワイトスペースデバイス（WSD）のために、ホワイトスペースの規制を定めた。欧州では、欧州郵便電気通信主官庁会議（CEPT）が、ECC Report 159"Technical and Operational Requirements for the Possible Operation of Cognitive Radio Systems in the 'White Spaces' of the Frequency Band 470-790 MHz, Jan. 2011"において、最初の要件を定めた。
【非特許文献１】FCC 10-174"Second Memorandum Opinion and Order" 2010年9月23日
【非特許文献２】ECC Report 159"Technical and Operational Requirements for the Possible Operation of Cognitive Radio Systems in the 'White Spaces' of the Frequency Band 470-790 MHz, Jan. 2011"
【００３５】
アナログテレビの終了により残されたホワイトスペースのライセンス不要な用途のために、様々な提案が出されている。例えば、地方のためのブロードバンドの展開や、公共の安全のための通信の予備に使用すること、教育用又は事業用のビデオ会議、消費者のためのアプリケーション、メッシュネットワーク、安全のためのアプリケーション、地方自治体のブロードバンドアクセス、局所的な通信可能範囲や通信の強化、固定されたアップリンク、スマートグリッドの計測器のデータを読むためのセンサを集約すること、などである。
【００３６】
2つ又はそれ以上の、独立して動作するワイヤレスネットワークまたはデバイスであってテレビ帯ホワイトスペース周波数帯域に適した様々な無線技術を使用するネットワークまたはデバイスが、互いに干渉することなく同じ地理的位置で同じテレビ帯ホワイトスペース周波数帯域にアクセスするための、共存技術の標準規格が現在策定中である。
【００３７】
IEEE802.19ワーキンググループは現在、様々な種類の二次ネットワークのための共存ルールを策定中である。本発明の例示的実施形態は、様々な種類の二次ネットワーク（secandary network）が共存することを可能にし、また二次ネットワークと、保護されるべき一次ネットワーク（primary network）とが共存することを可能にする。一次ネットワーク及び利用者は、周波数帯域において何らかの権利を有する利用者であり、その帯域における優先的なアクセスを有している。一次ネットワークは、商業ラジオやテレビ放送のように、FCCにライセンスを受けた帯域で運営されているネットワークを含む。二次ネットワーク及び利用者は、選択された帯域において、一次利用者によって使用されていないときに限り、リソースを使用することを許されるネットワークや利用者である。二次ネットワークは、テレビ帯ホワイトスペース（TVWS）でライセンスなしで運営され、テレビ帯デバイス（TVBD）に関するFCCの要請に準拠している送信デバイスを使っている、いかなるブロードバンドネットワークをも含む。固定的に設置されるTVBDデバイスは、地理的位置を有し、許されるチャネルを決定するためにデータベースにクエリを行わなければならない。移動可能なマスタTVBDデバイスは、地理的位置データにアクセスすることができなければならず、または、テレビやワイヤレスマイクの信号を特定するためのスペクトルセンシング能力を有していなければならない。
【００３８】
FCCは、ライセンスを受けた放送業者が使用していないスペクトル領域において、ブロードバンドテレビスペクトル帯の中でライセンス不要の無線送信機が動作することを許すルールを投入した。FCCは、ライセンス不要の送信機が位置を確立するための地理的位置情報と、ライセンスされた放送業者が使用しており彼らの地理的なサービスエリアにより管理されているテレビ帯のデータベースとを使用して、ライセンス不要の送信機が、どこで局所的なテレビ帯ホワイトスペースを利用可能であるかを知ることができるようにすること要請している。代替的に、FCCは、ライセンス不要の送信機がスペクトルセンサを使用して、ローカルなテレビ帯ホワイトスペースの中の現在の一次テレビ事業者の信号を検出し、ライセンス不要の送信機が帯域を使用することをすぐにやめることができるようにすることを要請している。ローカルなテレビ帯ホワイトスペースの一次利用者は、その帯域を使用することについてライセンスを受けている現在テレビ事業者である。しかし、ある地理的領域において、現在ライセンスを受けて事業を行っているテレビ放送業者がいない場合、ライセンスを受けていないその他の利用者がその帯域を活用するするかもしれない。
【００３９】
他のホワイトスペース帯域は、ある地理的範囲においてローカルに使用されていない帯域である。例えば海上無線のために割り当てられた周波数帯域であって、海洋から離れた陸地に囲まれた水域における周波数帯域がそのようなものの例である。海上無線帯域の一次利用者は、その帯域でサービスを提供することを許可された海上無線局であろうが、ライセンスを受けた海上無線事業者が存在しないような地理的範囲においては、ライセンスを受けていない二次的な利用者がその帯域を活用するかもしれない。同様に、局所的に使用されていないホワイトスペースが、特定の地理的範囲に存在するかもしれない。例えば、衛星通信のために送信を行う地上基地局のために割り当てられている2.025GHzから2.110GHzの周波数帯域は、これらの地上基地局から離れた領域ではそのようなホワイトスペースである。このような地上基地局の無線帯域の一次利用者は、その帯域で動作することをライセンスされた地上基地局であろうが、そのような地理的領域では、動作している衛星地上基地局は存在せず、ライセンスを受けていない別の二次利用者がその帯域を活用するかもしれない。
【００４０】
RFホワイトスペースを使用する複数の二次ネットワークがアクティブに共存している場合、種類の異なる複数の二次ネットワークの間で利用可能な帯域を公正にシェアするために、また、その帯域の一次利用者に必要なパフォーマンスを与えるために、新たな技術が必要になるであろう。このような新たな技術は、局所的なスペクトルの公平な利用を可能にするために、二次ネットワークの間で何らかの形の通信を行うことを必要とするだろう。
【００４１】
ネットワークコントローラ又は共存マネージャCMは、共存システムにおける主要な決定者（decision maker）である。CMは、同じエリアで動作しているネットワークの共存に関する競合を検出し解決する。CMは一つ又は複数のネットワークにサービスを提供する。構成によって、CMはTVBDに配置されたり、ネットワークエンティティに配置されたりする。独立したネットワークでは、CMはTVBDに配置される。CMは干渉を生じているネットワークを発見し、またそのCMを見つけ、他のCMとその情報を共有する。収集した情報に基づいて、CMは自身のネットワークの動作を再構成するだけでなく、共存セットの中でCMがそれを許されているWSOのために、必要に応じてリソースの再割り当てを行う。
【００４２】
米国においては、あるWSDは、関係付けられているスレーブWSDデバイスのネットワークにおけるマスタWSDとして動作しうる。例えばマスタWSDはアクセスポイントや基地局であり得る。マスタWSDはスレーブWSDデバイスの代わりに地理的位置データベース（DB）にアクセスすることが期待されており、それによって、テレビ放送事業者のような権利を有する利用者によって使用されていない利用可能スペクトルを発見する。
【００４３】
以下の説明では、次のように定義される用語を使用する。
【００４４】
●  WSO（ホワイトスペースオブジェクト）＝TVBDネットワークまたはデバイス
【００４５】
●  共存セット（coexistence set）＝ネイバー（neighbors）
○  共存セットは、ネイバーと呼ばれるのではなければ、WSOのセットである。
○  共存マネージャ（CM）の各々は、サービスを提供している個々のWSOについて共存セットを決定し維持する。 あるWSOの共存セットはそのWSOに干渉しているかもしれない他のWSOや、そのWSOが干渉しているかもしれない他のWSOを含む。
【００４６】
●  共存セット要素＝隣接するTVBDネットワーク又はデバイス
○  共存セットに属するWSO
●  共存セット拡張＝制限されたネットワーク（ネイバーのネイバー）
○  個々のCMは、自身が有する共存セットの各々について共存セット拡張を有する（すなわち、CMがサービスを提供するWSOの各々についてひとつ有する）。この拡張は、自身の共存セットの中でWSOの共存セットに属するが、自身の共存セットには属さないWSOを含む。
【００４７】
ネットワークコントローラ又は共存マネージャは、それがサービスを提供するWSOのためのリソースを決定するために、また、サービスが提供されているWSOの共存セットの中の全てのWSOのためのリソースを決定するために、分散的な意思決定を採用する。これは、同じWSOに影響を与える新たなリソース割り当ての決定が、二つ又はそれ以上のCMによって同時に又は一斉に行われる状況を生む可能性がある。本発明のある実施形態によれば、共存管理システムのネットワークコントローラ又は共存マネージャCMは、少なくとも二つのネットワークコントローラ又は共存マネージャが同じWSOに影響を与えるリソースを計算するという事態に対応するための競合取り扱い手続きを有している。
【００４８】
競合取扱手続の例は次のように概説される。
【００４９】
本発明のある実施形態によれば、ネットワークコントローラ又は共存マネージャ（CM）は、ワイヤレスネットワーク又はホワイトスペースオブジェクト（WSO）からリソース割り当て要求を受け取る。このリソース割り当て要求はワイヤレスネットワーク又はホワイトスペースオブジェクト（WSO）により送信される。又は、リソース割り当ては別の理由によって、そのWSOに対してトリガされる。ネットワークコントローラ又は共存マネージャ（CM）は、要求CM（requesting CM）と呼ばれる。要求を生成するWSOは要求WSO（requesting WSO）である。
【００５０】
要求WSOからリソース割り当て要求を受信することに応答して、要求CMはリソース割り当てプロポーザルを計算する。要求WSOは、その要求WSOに干渉している隣接WSO又はその要求WSOが干渉している隣接WSOを含む共存セットを占有しているかも知れないので、リソース割り当てプロポーザルは、その共存セットの隣接WSOに使用されているリソースに影響を与えるかもしれない。
【００５１】
要求CMは、その要求WSOの共存セットのいずれかのWSOや、その要求WSO自身のために、リソース割り当て要求を同時に計算している他のCMが存在しないかどうかを決定する必要がある。本発明のある実施形態によれば、要求を送信しているワイヤレスネットワークのためにリソース割り当てプロポーザルを計算しているかどうかを決定するために、又は、要求を送信しているワイヤレスネットワークに隣接する一つ又は複数のワイヤレスネットワークのためにリソース割り当てプロポーザルを計算しているかどうかを決定するために、要求CMは、衝突要求（conflict request）及びリソース割り当てプロポーザルを、一つ又は複数のネットワークコントローラに送信する。
【００５２】
衝突要求を受信した他のCMは、要求WSOの共存セットのいずれかのWSOのためにリソースを計算しているプロセスにあるがどうかを示す応答メッセージを準備する。他のCMは、各々、応答メッセージを要求CMへと送信する。応答が"yes"である場合には、応答CMは衝突対応CM（conflict handling）CMとなる。
【００５３】
要求CMが、要求WSOの共存セットのいずれかのWSOのためにリソースを計算することを許可された他のCMの各々に要求を送信し、またこれらのCMの各々から応答を受信すると、要求CMは、どの他のCMが衝突対応CMであるかを知ることができる。
【００５４】
衝突要求に応じて、要求CMが、一つ又は複数の他のネットワークコントローラからリソース割り当てプロポーザルを受信しない場合、要求CMはリソース割り当てプロポーザルを実行に移す。
【００５５】
または要求CMは、全ての衝突対応CMが衝突確認要求に応答するまで待機する。衝突要求に応じて、要求CMが、一つ又は複数の他のネットワークコントローラからリソース割り当てプロポーザルを受信した場合、要求CMは、一つ又は複数の他のネットワークコントローラからの他のリソース割り当てプロポーザルをランク付けする。
【００５６】
以前に他のCMが要求WSOの共存セットの他のWSOのためにリソースを計算しているプロセスにあることを示したように、要求CMも、他のCMからの応答要求の各々に対して"yes"応答で返答する。
【００５７】
プロポーザルをランク付けする際、要求CMは、他の衝突対応CMからのプロポーザルのうち最もよいプロポーザルには最高スコア（例えばプロポーザルの数が5つの場合には5）を、次によいプロポーザルには2番目のスコアを（例えばプロポーザルの数が5つの場合には4）を、などのようにスコアをつける。このランク付けにおいて、要求CMは自身のプロポーザルを考慮に入れない。他のCMからのプロポーザルのみにランク付けを行う。
【００５８】
要求CMは、全てのリソース割り当てプロポーザルがランク付けされた要求WSOの共存セットのWSOにサービス提供している他のCMに、ランク付けの結果（全てのプロポーザルについてスコア）を含むメッセージを送信する。ランキングメッセージにおいて、要求CMはまた、応答を返した衝突対応CMの数も示す。これは、サービスを提供しているCMに、いくつのランキングメッセージが届くかを予想し又は待つべきであるかを知らせるためである。
【００５９】
共存セットのWSOにサービスを提供しているネットワークコントローラが要求CMとは異なる場合、CMは、共存セットのWSOにサービスを提供しているネットワークコントローラにランキングの結果を送信する。
【００６０】
サービスを提供しているCMは、全てのランキング結果メッセージを受信すると、割り当てプロポーザルのうちどれが全体として最高のスコアを得たかを決定する。例示的な選択手続は、各プロポーザルのスコアを全て合算し、それをそのプロポーザルの全スコアとして用いる方法である。サービスを提供しているCMは、上記の合算および全スコアの計算を行なう前に、何らかの基準に従って受信したランキングの結果に重み付けを加えてもよい。サービスを提供しているCMは、全スコアが最も高いプロポーザルをウィニングプロポーザル（勝ちを収めたプロポーザル）とする。全スコアが最高点となったプロポーザルが複数ある場合は、サービスを提供しているCMは、そのいずれかをウィニングプロポーザルとして選択する。
【００６１】
ウィニングプロポーザルが決定されると、サービスを提供しているCMは選択された割り当てに関連するCM及びサービスを提供しているWSOに、割り当てが衝突なしに行われるであろうことを伝える。
【００６２】
本発明の例示的実施形態に従うシステムアーキテクチャを説明するための略図である。この図には、第1のホワイトスペースオブジェクト（WSO）A2と、第2のホワイトスペースオブジェクトC2が描かれており、それぞれ、ホワイトスペーススペクトルについてのリソース割り当て要求32A，32Cを行っている。この図には、第1のWSOであるA2及び第2のWSOであるC2に隣接して、第3のWSOであるXも描かれている。第1のネットワークコントローラ又は共存マネージャ（coexistence manager）CM_Aは、第1のWSOであるA2にサービスを提供し、そのA2から第1のリソース割り当て要求32Aを受信する。第1のWSOであるA2は、ホワイトスペースデバイス（WSD）であるWSD5およびWSD8からなるWSDのネットワークを含んでいる。第2のネットワークコントローラ又は共存マネージャCM_Cは、第2のWSOであるC2にサービスを提供し、C2から第2のリソース割り当て要求32Cを受信する。第2のWSOであるC2はWSD1およびWSD2からなるWSDの第2のネットワークを含んでいる。本発明の例示的実施形態において、第1の共存セットA及び第2の共存セットCの両方に含まれる第3のWSO（X）のためのリソースの割り当てについて、第1のネットワークコントローラ又は共存マネージャCM_Aと第2のネットワークコントローラ又は共存マネージャCM_Cとの間には、リソース割り当ての衝突が存在する。
【００６３】
WSDデバイスの動作領域に関する例示的なホワイトスペーススペクトルは、専用テレビ帯ホワイトスペーススペクトル30や、局所的に使用されていないテレビ帯31、局所的に使用されていない海上バンド33、局所的に使用されていない衛星バンド35、局所的にペアリングされていないTDD携帯機器周波数を含む。
【００６４】
図1Aはまた、それぞれのスペクトルホワイトスペースにおいてライセンスを有する一次利用者によって局所的に使用されていないホワイトスペーススペクトルの、非限定的な3つの例を示している。それらはライセンスを有さない非一次利用者（secondary user）として動作しているマスタWSD1またはスレーブWSD2によって使用されるかもしれない。テレビ帯ホワイトスペース31は、ライセンスを有するテレビ放送事業者によって、局所的に使用されていないホワイトスペースである。海上無線バント33は、ライセンスを有する海上無線ラジオによって、局所的に使用されていない。地上局のための衛星無線バンド35は、ライセンスを有する無線地上局によって局所的に利用されていない。非限定的な例であるが、ライセンスを有するテレビ放送事業者によって局所的に使用されていないテレビ帯ホワイトスペース31は、174−204MHzの帯域である。これは、VHFテレビチャネル7，8，9，10，11が局所的に存在していないことを表している。VHFテレビチャネル7，8，9，10，11に放送事業者が存在していたとすれば、マスタWSD1かスレーブWSD2と干渉していたであろう。これらのチャネルに関するテレビ帯ホワイトスペース31にライセンスを有する放送事業者が局所的に存在していない場合、これらのWSDはライセンスを有しない二次利用者として動作し、テレビ帯ホワイトスペース31を利用することができる。マスタWSD1かスレーブWSD2のいずれかが、帯域31において、近くのテレビ放送事業者から送信された信号を検出した場合、それらはテレビ帯ホワイトスペース31の利用をあきらめ、本発明の例示的実施形態に従って、リソース要求を行わなければならない。   ホワイトスペーススペクトルの非限定的な例は、電磁波スペクトルの様々な領域で得られる。例えば、スペクトルのUHF領域において、パーソナル／携帯デバイスのためにホワイトスペーススペクトルが利用可能である。
【００６５】
海上無線は、ライセンスを受けて割り当てられた様々な周波数において運営されており、海上無線帯33における一次利用者である。マスタWSD1またはスレーブWSD2と干渉する可能性のある有ライセンスの海上無線が存在していない場合、これらのWSDはライセンスを有しない二次利用者として動作し、海上無線帯33を利用することができる。マスタWSD1かスレーブWSD2のいずれかが、近くの海上無線から送信された信号を検出した場合、それらは海上無線33の利用をあきらめ、本発明の例示的実施形態に従って、リソース要求を行わなければならない。
【００６６】
衛星地上局は地上衛星帯（earth-to-satellite band）の一次利用者であり、ライセンスによって割り当てを受けた2.025GHzから2.110GHzの周波数において、衛星へと送信を行う。マスタWSD1またはスレーブWSD2と干渉する可能性のある有ライセンスの地上局が存在していない場合、これらのWSDはライセンスを有しない二次利用者として動作し、地上衛星帯35を利用することができる。マスタWSD1かスレーブWSD2のいずれかが、近くの地上無線局から送信された信号を検出した場合、それらは地上衛星帯35の利用をあきらめ、本発明の例示的実施形態に従って、リソース要求を行わなければならない。
【００６７】
図1Aには2番目のマスタWSDデバイスであるWSD5と、WSD5の動作範囲においてそれに関連するスレーブWSDであるWSD8も描かれている。マスタWSD5は、セルリンクにおけるその通常の通信においては3GPPのセルラ技術標準を使用するが、TVWSリンク6，7，8上でホワイトスペーススペクトルを使った通信を行なう能力を有している。なお、この3GPPのセルラ技術標準は、3G，WCDMA，HSPA，LTE，LTE−Advanced（LTE−A），IMT−Advanced（IMT−A）などであってもよい。地理的位置データベースから返送される情報は、マスタWSD5と、その動作領域における関連するスレーブWSD8の両方について、ホワイトスペーススペクトルで動作することを可能にする。
【００６８】
図7は、携帯デバイス周波数帯のアップリンク部分におけるペアリングのない（unpaired）TDD周波数ホワイトスペース36の中のサブ帯域14'の中の例示的なTDMA共存フレーム24'を示しており、これは、図1Aに描かれる、セル技術に基づくマスタデバイスWSD5及びスレーブデバイスWSD8によって使用されてもよい。例えば、キャリアアグリゲーション（Carrier Aggregation；CA）が利用可能である場合、ライセンスを有するメディアに加えてTVWSをその目的のために使用してもよい。
【００６９】
同様の例には、例えば小さな規模で運営されているセルのために実装されているローカルエリア技術を含む。そのようなセルには例えばホットスポットやピコセル、フェムトセルがあり、また、ホームノードB（HNB）やホームeノードB（HeNB）などのホームノードがある。さらに、二次ネットワークの統合ローカルノードは、IEEE技術と3GPP技術とを組み合わせたものから構成されていることができる。例えば、Wi-Fi機能を有するLTEホームeノードB（LTE HeNB）である。
【００７０】
図1Bは、本発明の例示的実施形態に従うシステムアーキテクチャの例であり、図1Aに描かれた第1及び第2のネットワークコントローラ又は共存マネージャCM_A及びCM_Cが、図1Aに描かれた第1及び第2のホワイトスペースオブジェクト（WSO）A2及びC2にサービスを提供している。図1Bはさらに、第1のWSO（A2）及び第2のWSO（C2）の両方に隣接する第3のWSO（X）も描いている。第1のWSO（A2）及び第3のWSO（X）による組み合わせは、第1のWSO（A2）の共存セットAを構成する。第2のWSO（C2）及び第3のWSO（X）による組み合わせは、第2のWSO（C2）の共存セットCを構成する。本発明の例示的実施形態において、第1の共存セットA及び第2の共存セットCの両方に含まれる第3のWSO（X）のためのリソースの割り当てについて、第1のネットワークコントローラ又は共存マネージャCM_Aと第2のネットワークコントローラ又は共存マネージャCM_Cとの間には、リソース割り当ての衝突が存在する。
【００７１】
本発明のある例示的実施形態において、共存マネージャCM_A及びCM_Cによるネットワークは分散しており、互いにインターネット105を通じて通信することとしてもよい。本発明のある例示的実施形態によれば、マスタWSD1のコントロールノード又は共存イネーブラ111は、インターネット105を通じてTVWS共存マネージャCM_Cと通信してもよい。本発明のある例示的実施形態によれば、マスタWSD1のコントロールノード又は共存イネーブラ111は、TVWS共存マネージャCM_Cと一緒に用いられてもよい。マスタWSD5の共存イネーブラ115は、インターネット105を介してTVWS共存マネージャCM_Aと通信してもよい。本発明のある例示的実施形態において、共存マネージャCM_A及びCM_Cは分散して配置されており、互いにインターネット105を通じて通信することとしてもよい。マスタWSD1は、コントロールノード又は共存マネージャ111を通じてネットワークコントローラ又は共存マネージャCM_Cに登録されてもよい。マスタWSD5は、コントロールノード又は共存マネージャ115を通じてネットワークコントローラ又は共存マネージャCM_Aに登録されてもよい。
【００７２】
共存イネーブラ111は、共存のために必要な情報を、トラフィックネットワーク又はそれを表すデバイスから得てもよい。これは、コンフィグレーションや、測定の制御を含んでもよい。また共存イネーブラ111は、共存マネージャCM_Cから受信した共存の決定に対応するWSD1に、再構成コマンドや制御情報を提供してもよい。共存マネージャCM_Aは、例えば、隣接するワイヤレスネットワークを管理している共存マネージャ（Coexistence Manager；CM）であるCM_Cの発見の責任を負っている。共存に関する情報が、これらの間で交換されてもよい。共存マネージャCM_A又はCM_Cは、隣接するワイヤレスネットワークを管理している共存マネージャ（Coexistence Manager；CM）の間でリソース共有の決定を行うために必要とされる情報を有していてもよい。
【００７３】
共存マネージャCM_Cは、マスタWSD1の共存イネーブラ111からのリソース要求を取り扱う。共存マネージャCM_Aは、マスタWSD5の共存イネーブラ115からのリソース要求を取り扱う。マスタWSD1は、そのネットワーク上で通信を行うために、IEEE802.11 MAC及びPHYを有している。マスタWSD5のセルシステムは、そのネットワーク上で通信を行うために、3GPP標準のMAC及びPHYを有している。マスタWSD1及びWSD5の共存イネーブラ111及び115は、それぞれの共存マネージャCM_A又はCM_Cへリソース要求を送信する。
【００７４】
図1Bの例示的システムアーキテクチャは、共存マネージャCM_Cが、マスタWSD1の共存イネーブラ111からリソース要求を受信することを示している。共存マネージャCM_Cは、マスタWSD1の共存イネーブラ111から、スペクトル測定の結果とネットワークパラメーターとを受信する。ネットワークパラメーターは、特定のユーザ要求（負荷、QoS、優先度など）や、全体としてのスペクトル効率、決まり事（初めに来たものが初めにサービスを受けるなど）、利用者又はネットワークのポリシなどを含んでもよい。共存マネージャCM_Cは、テレビ帯ホワイトスペースの中の利用可能な二次チャネルを取得するべく、図1Aの地理的位置データベースにアクセスする。共存マネージャCM_Cは、可能性のある隣接ネットワークのアドレスを取得するべく、図1Aの共存ネットワーク要素である共存発見及び情報サーバ（coexistence discovery and information server；CDIS）107にアクセスする。共存マネージャCM_Cは、マスタWSD1の共存イネーブラ111のためのリソース割り当てを決定すべく、このデータを、スペクトルマップや動作パラメータ、時間に基づく同期に関連して処理する。共存マネージャCM_Cは続いて、マスタWSD1の共存イネーブラ111にリソース再割り当て情報を送信する。この情報には動作パラメータや送信を行うべきでない期間（Quiet period）のパラメータ、スペクトル測定の方法、及び／又は時間に基づく同期に関する情報を含む。するとマスタWSD1の共存イネーブラ111は、共存マネージャCM_Cから再割り当てを受けたテレビ帯ホワイトスペースのチャネルで、同じホワイトスペースチャネルを共有するためのネットワークと干渉を起こさずに通信を行うべく、媒体アクセス制御（MAC）や物理層（PHY）、無線リソース制御（RRC）、無線リソース管理（RRM）の少なくとも一つに関する制御を行う。同様の処理は、マスタWSD5の共存イネーブラ115との関連において共存マネージャCM_Aによっても実行されることができる。共存マネージャCM_C及びCM_Aによるネットワークは分散しており、互いにインターネット105を通じて通信することとしてもよい。
【００７５】
図1Cは本発明の例示的実施形態に従うシステムアーキテクチャの例であり、図1Aのバリエーションである。この図には、さらなるネットワークコントローラ又は共存マネージャCM_Xが描かれており、これは、第1のWSO（A2）及び第2のWSO（C2）の両方に隣接する第3のWSO（X）にサービスを提供している。本発明の例示的実施形態において、第1及び第2の共存セットの両方に含まれる第3のWSO（X）のためのリソースの割り当てについて、第1のネットワークコントローラ又は共存マネージャCM_Aと第2のネットワークコントローラ又は共存マネージャCM_Cとの間には、リソース割り当ての衝突が存在する。
【００７６】
図1Dは、図1Cに描かれた本発明の例示的実施形態に従うシステムアーキテクチャの例であり、ネットワークコントローラ又は共存マネージャCM_Aが第1のリソース割り当てプロポーザル34Aを計算することが描かれている。ネットワークコントローラは、一つ又は複数の他のネットワークコントローラに対して、ワイヤレスネットワーク又はそのワイヤレスネットワークに隣接する一つ又は複数のワイヤレスネットワークためにほかのリソース割り当てプロポーザルを計算しているかどうかを調べるために、メッセージを送信してもよい。本発明の例示的実施形態によれば、ネットワークコントローラは、CMネットワーク106を介して、ネットワークコントローラ又は共存マネージャCM_X及びCM_Cにメッセージを送信してもよい。メッセージ又はプロポーザルは、実施例によってはマルチキャスト送信されてもよく、又はユニキャスト送信のシーケンスとして送信されてもよい。ネットワークコントローラが、そのメッセージに応答して、他の（1つ又は複数の）ネットワークコントローラから別のリソース割り当てプロポーザルを受信しない場合は、当該リソース割り当てプロポーザルを実行に移してもよい。
【００７７】
図1Eは、図1Cに描かれた本発明の例示的実施形態に従うシステムアーキテクチャの例であり、ネットワークコントローラ又は共存マネージャCM_Cが第2のリソース割り当てプロポーザル34Cを計算することが描かれている。ネットワークコントローラは、送信元ネットワークコントローラから、当該送信元ネットワークコントローラがワイヤレスネットワーク及びそのワイヤレスネットワークに隣接する一つ又は複数のワイヤレスネットワークために、リソース割り当てプロポーザルを計算したことを知らせるメッセージを受信する。ネットワークコントローラは、そのメッセージに応答して、ワイヤレスネットワーク及びそのワイヤレスネットワークに隣接する一つ又は複数のワイヤレスネットワークためにリソース割り当てプロポーザルを計算することによって、応答を完了する。本発明の例示的実施形態によれば、ネットワークコントローラは、CMネットワーク106を介して、ネットワークコントローラまたは共存マネージャCM_X及びCM_Aに、計算を完了したリソース割り当てプロポーザルを送信してもよい。ネットワークコントローラは、送信元ネットワークコントローラに、計算を完了したリソース割り当てプロポーザルを送信する。
【００７８】
図1Fは、図1Cに例示した本発明の実施形態に従うシステムアーキテクチャの例である。ここでは、本発明の例示的実施形態において、ネットワークコントローラ又は共存マネージャCM_Xが第3のリソース割り当てプロポーザル34Xを計算し、それをCMネットワーク106を介してネットワークコントローラ又は共存マネージャCM_C及びCM_Aに送信することが描かれている。
【００７９】
図1Gは、図1Cに描かれた本発明の例示的実施形態に従うシステムアーキテクチャの例であり、ネットワークコントローラ又は共存マネージャCM_Aが、受信したリソース割り当てプロポーザル34C及び34Xをランク付けすることが描かれている。ネットワークコントローラは、メッセージに応じて1つ又は複数の他のネットワークコントローラから他のリソース割り当てプロポーザルを受信した場合、これら他のリソース割り当てプロポーザルをランク付けしても良い。ランク付けは個々のネットワークで独立に行われてもよく、最終的に選択されるプロポーザルは異なるリソース割り当て計算からのものであってもよい。ネットワークコントローラは、ワイヤレスネットワークに隣接する一つ又は複数のワイヤレスネットワークにサービスを提供している一つ又は複数のサービス中ネットワークコントローラに、当該他のリソース割り当てプロポーザルのランク付けの結果を送信してもよい。本発明のある実施形態によれば、第1のWSO（A2）および第2のWSO（C2）の両方に隣接する第3のWSO（X）にサービス中のネットワークコントローラ又は共存マネージャCM_Xに対して、ネットワークコントローラは、CMネットワーク106を介してランキングメッセージ37Aをユニキャスト送信してもよい。
【００８０】
図1Hは、図1Cに描かれた本発明の例示的実施形態に従うシステムアーキテクチャの例であり、ネットワークコントローラ又は共存マネージャCM_Cが、受信したリソース割り当てプロポーザル34A及び34Xをランク付けすることが描かれている。ネットワークコントローラは、メッセージに応じて、送信元ネットワークコントローラから受信したリソース割り当てプロポーザルと、1つ又は複数の他のネットワークコントローラから受信した他のリソース割り当てプロポーザルとをランク付けする。ネットワークコントローラは、ワイヤレスネットワークおよびワイヤレスネットワークに隣接する一つ又は複数のワイヤレスネットワークにサービスを提供している一つ又は複数のサービス中ネットワークコントローラに、受信したリソース割り当てプロポーザルのランク付けの結果を送信する。本発明のある実施形態によれば、第1のWSO（A2）および第2のWSO（C2）の両方に隣接する第3のWSO（X）にサービス中のネットワークコントローラ又は共存マネージャCM_Xに対して、ネットワークコントローラは、CMネットワーク106を介してランキングメッセージ37Cをユニキャスト送信する。
【００８１】
図1Iは、図1Cに例示した本発明の実施形態に従うシステムアーキテクチャの例である。ここでは、本発明の例示的実施形態において、第1のWSOであるA2と第2のWSOであるC2の両方に隣接する第3のWSO Xにサービスを提供しているネットワークコントローラ又は共存マネージャCM_Xが、受信したランキングメッセージ37A及び37Cに基づいて、採用されるリソース割り当てプロポーザルを選択することが描かれている。あるワイヤレスネットワークに隣接する一つ又は複数のワイヤレスネットワークにサービスを提供しているサービス中のネットワークコントローラは、送信元のネットワークコントローラから受信したリソース割り当てプロポーザルのランキングと、一つ又は複数の他のネットワークコントローラから受信した他のリソース割り当てプロポーザルのランキングとを受信する。このネットワークコントローラは、送信元のネットワークコントローラから受信したリソース割り当てプロポーザルと、一つ又は複数の他のネットワークコントローラから受信した他のリソース割り当てプロポーザルのランキングとにおいて、最も高いランクを有するリソース割り当てプロポーザルを選択する。ランク付けは個々のネットワークで独立に行われてもよく、最終的に選択されるプロポーザルは異なるリソース割り当て計算からのものであってもよい。その後ネットワークコントローラ又は共存マネージャCM_Xは、要求されたように、最終的に勝ち残った選択されたリソース割り当てプロポーザルを、ネットワークコントローラ又は共存マネージャCM_C及びCM_Aに送信する。そして最終的に勝ち残ったリソース割り当てプロポーザルを、第3のWSOであるXで実行に移す。
【００８２】
ネットワークコントローラ又は共存マネージャCM_Xは、一つ又は複数の他のネットワークコントローラCM_C及びCM_Aから受信したリソース割り当てプロポーザル34A及び34Cのランキングである37A及び37Cを受信する。ネットワークコントローラ又は共存マネージャCM_Xは、ワイヤレスネットワークWSO（X）にサービスを提供する。
【００８３】
ネットワークコントローラ又は共存マネージャCM_Xは、リソース割り当てプロポーザルの受信したランキングに基づいて、一つ又は複数の他のネットワークコントローラCM_C及びCM_Aから受信した個々のリソース割り当てプロポーザルのスコア値を決定する。
【００８４】
ネットワークコントローラ又は共存マネージャCM_Xは、最も高いスコア値を有するリソース割り当てプロポーザルを選択する。
【００８５】
ネットワークコントローラ又は共存マネージャCM_Xは、ワイヤレスネットワークWSO（X）において、選択されたリソース割り当てプロポーザルの実行に移す。
【００８６】
図2A，2B，2Cは、それぞれ3つの異なる事例を示している。全ての事例において、三つのCM（CM_A，CM_B，CM_C）が描かれており、その各々が2つのWSOにサービスを提供している（CM_AはA1とA2に、CM_BはB1とB2に、CM_CはXとC2にサービスを提供している。これらの図では、干渉し合う可能性のあるWSO同士が破線で表されている。すなわち、2つのWSOの間に破線があることは、これらが"ネイバー"であることを表している。これらの事例は、CM_Cに管理されているが、他の2つのCMもリソースの決定を行うかもしれないWSO（X）を中心に構成されている。この例は、全てのWSOに対してリソース割り当てが計算される場合に一般化されることができる。
【００８７】
図2Aは、本発明の例示的実施形態に従うネットワークダイアグラムであり、本発明の例示的な実施形態における例示的な第1のケースを描いている。図1Bにおける第1及び第2のネットワークコントローラ又は共存マネージャCM_A及びCM_Cのいずれかと、第1のWSO（A2）のための第1の共存セット（A）と、第2の共存セット（C）とが描かれている。また、第3のネットワークコントローラ又は共存マネージャCM_Bと、第1のWSO及び第2のWSOの両方に隣接する第3のWSOを含む第3の共存セットも描かれている。本発明のある例示的実施形態に従うこの第1のケースは、三つのネットワークコントローラ又は共存マネージャCM_A，CM_B，CM_Cの間に、三つ共存セットA，B，Cの全てに含まれる第3のWSOのためのリソース割り当てに関してリソース割り当ての衝突が存在する。
【００８８】
●  第1のケースは、少なくとも二つのCMがWSO（X）のリソースの計算を行い、またそれらのいずれかがWSO（X）へサービスを提供しているというケースである。
【００８９】
○  この例では、CM_AはA2及びその共存セットのためにリソースの計算を行っている。この共存セットは"共存セットA"とのラベルが付された矩形で表されている。同様に、CM_BはB1及びその共存セットのためにリソースの計算を行っており、CM_CはC2及びその共存セットのためにリソースの計算を行っている。B1の共存セットは"共存セットB"とのラベルが付された矩形で表されており、C2の共存セットは"共存セットC"とのラベルが付された矩形で表されている。
【００９０】
図2Bは、本発明の例示的実施形態に従う、図2Aのネットワークダイアグラムの例であり、図2Aの第1〜第3のネットワークコントローラ又は共存マネージャCM_A，CM_B，CM_Cと、第1および第2の共存セットA，Bが存在する第2の例示的なケースを描いている。本発明の実施形態に従うこの第2ケースでは、第1及び第2の共存セットA，Bに含まれる第3のWSOのためのリソースの割り当てに関して、第1及び第2のネットワークコントローラ又は共存マネージャCM_AおよびCM_Bの間にリソース割り当てに関する衝突が存在する。
【００９１】
●  この第2のケースは、少なくとも二つのCMがWSO（X）のリソースの計算を行っているが、それらのいずれもWSO（X）へサービスを提供していないというケースである。
【００９２】
○  CM_AはA2及び矩形で表されたその共存セットのためにリソースの計算を行っており、CM_BはB1及び矩形で表されたその共存セットのためにリソースの計算を行っている。
【００９３】
図2Cは、本発明の例示的実施形態に従う、図2Aのネットワークダイアグラムの例であり、図2Aの第1〜第3のネットワークコントローラ又は共存マネージャCM_A，CM_B，CM_Cと、第1の共存セットAが存在する第3の例示的なケースを描いている。本発明の実施形態に従うこの第3ケースでは、第1の共存セットに含まれる第3のWSOのためのリソースの割り当てに関して、第1のネットワークコントローラまたは共存マネージャCM_Aのみがリソース割り当ての計算を行っている。
【００９４】
●  この第3のケースは、WSOのためにリソースを計算しているCMが一つだけであるという状況を示している。
【００９５】
○  この例において、CM_Aは、A2及び矩形で表されたその共存セットのためにリソースの計算を行っている。
【００９６】
CM_Aが、A1，A2，Xのためのリソース割り当てプロポーザルが存在する時点まで、リソース割り当て処理を進めてきたと仮定する。この処理は、例えば、CM_Aがサービスを提供しているA2からのリソース要求に応じて起動されたものであることができる。CM_Aは、WSOのいずれか、たとえばXが、他のCMもリソースの計算を行っているWSOであることを認識する。CM_Aは、Xに対するリソース割り当てプロポーザルを含む衝突確認要求メッセージを、CM_B及びCM_Cの両方に送信する。
【００９７】
注意：この場合、CM_AはCM_Bへの直接的な接続を有している必要はない。なぜなら、A2の共存セットはCM_Bにサービスを受けているWSOを含んでいないからである。しかしCM_Bは、B1にサービスを提供していることから、Xのためのリソースを判断する。B1の共存セットはXを含み、したがってB1は、A2の共存セットの共存セット拡張に属している。各CMは、共存セットの制限の中だけにおいて、互いに直接的に接続されているかもしれない。そのような場合、各CMは、衝突の取り扱いにおいて、CM間の通信における中間ノードとしての役割を果たす必要があるかもしれない。その場合、例えば、CM_AとCM_Bとの間の通信は、CM_Cを介して行われなければならないかもしれない。プロトコルは、中間ノードを有しない場合と比べてなにも違いがあるべきではなく、転送は一般的な処理であるべきである。
【００９８】
CM_Aからリソース割り当て要求を含む衝突確認要求を受信すると、CM_B及びCM_Cは、Xについてのリソース割り当てに関する状態を示すメッセージによって応答する。上記ケース1では、両方のCMが"yes"を示す。上記ケース2では、CM_Bは"yes"を示し、CM_Cは"no"を示す。上記ケース3では、両方のCMが"no"を示す。
【００９９】
CM_B及びCM_Cから応答を受信すると、CM_Aは、Xについて衝突が存在する場合であるか、またどのCMが衝突に関与しているかを知ることができる。上記ケース1及びケースには衝突が存在する場合であり、ケース3は衝突が存在しないケースである。ケース1において衝突に関与しているものはCM_A，CM_B，CM_Cであり、ケース2においてはCM_A，CM_Bである。
【０１００】
ケース1において、CM_Aは、CM_B，CM_Cの両方に対して、衝突確認要求を待機する。ケース2においては、CM_Aは、CM_Bからの衝突確認要求を待機する。CM_Aが必要な全ての衝突確認要求であってXのためのリソース割り当てプロポーザルを含む衝突確認要求を受信すると、CM_Aは、他の衝突関与要素から受信したプロポーザルをランク付けする。ランク付けが完了すると、CM_Aはランク付けの結果をXにサービス提供中のCM_Cに送信する。ケース1においては、CM_B及びCM_Cにおいても同様の処理が行われる。ケース2においては、CM_Aに加えてCM_Bにおいてこのような処理が行われる。CM_Cが必要な全てのプロポーザルランク付けメッセージを受信すると、CM_Cはトータルのスコアを計算し、勝ち残るリソース割り当てプロポーザルを選択する。選択されたプロポーザルは、要求されたように、CM_A及びCM_Bに送信される。また勝ち残ったリソース割り当てプロポーザルが、Xにおいて実行に移される。
【０１０１】
図3は、本発明に従う非限定的な例示的な周波数帯域のダイアグラムである。図4に示されるような、米国バージニア州リッチモンドのテレビ放送チャネル7，8，9，10，11を表す174‐204MHz帯で有ライセンスのテレビ事業者が局所的に使用していないテレビ帯ホワイトスペースの中の、本発明のある実施形態従うTDMA共存フレームサブ帯域28の例を描いている。さらなるリソースを要求しているネットワークの共存についての二次使用としてこれらの帯域へのライセンス不要のアクセスを行うことは、要求しているネットワークの地理的位置や送信出力、範囲、送信帯域に関する制限を含むかもしれない。
【０１０２】
非限定的な例として、802.11WLAN標準は、2.400−2.500GHzのISM帯域における動作と、5GHzのISM帯域における動作のための周波数を規定しており、IEEE802.11adは非常に高速なスループットのための60GHz帯を規定している。802.11WLAN標準は、OFDM技術に基づく、20MHzチャネルセパレーションを有する物理層を規定している。チャネルの中心から11MHz離れたところでは、エネルギーは、最大信号レベルからおよそ20dB低くなっている。中心周波数からさらに離れると、エネルギーレベルはさらに下がり、隣接チャネルとの干渉は非常に小さくなる。54‐88MHz及び407‐806MHzのテレビ帯ホワイトスペースは、802.11WLANの無線LANチャネルとの共存のための優れた候補である。地上局から衛星への周波数に関する2.025GHzから2.110GHzのホワイトスペーススペクトルも、802.11WLANの無線LANチャネルとの共存のための優れた候補である。米国バージニア州リッチモンド地域でそうであるように、テレビ放送チャネル7，8，9，10，11を表す174‐204MHz帯で有ライセンスのテレビ事業者が局所的に使用していないテレビ帯ホワイトスペースも、02.11WLANの無線LANチャネルとの共存のための優れた候補である。
【０１０３】
図3は、RFスペクトルにおけるホワイトスペースの位置の非限定的な例、及び、ホワイトスペーススペクトルにおけるTDMA共存フレームの例を示したものであり、いずれかのネットワークがスロットを割り当てる前の、自由に使用可能な時間スロットを示している。このホワイトスペースは、FCCの専用テレビ帯ホワイトスペースである54‐88MHz帯、FCCの専用テレビ帯ホワイトスペースである470‐806MHz帯、2.025GHzから2.110GHzの中で局所的に使用されていない地上局‐衛星ホワイトスペーススペクトルを含む。
【０１０４】
本発明の例示的実施形態において、2つ又はそれ以上の、独立して動作するワイヤレスネットワークまたはデバイスであってテレビ帯ホワイトスペース周波数帯域に適した様々な無線技術を使用するネットワークまたはデバイスが、互いに干渉することなく同じ地理的位置で同じテレビ帯ホワイトスペース周波数帯域にアクセスするための、様々なTVWS共存技術が存在する。共存技術のいくつかの例をあげると、動的な周波数選択、送信出力制御、LBT（listen-before-talk）、時分割多重の様々なIEEE802技術、メッセージに基づくオンデマンドのスペクトル衝突、中央集権型のネットワークコントローラ又は共存マネージャを通じた制御などがある。
【０１０５】
図4は、米国バージニア州リッチモンド地域の地図にテレビ放送チャネル7，8，9，10，11のカバー範囲を重ねた例である。図3に描かれるように、174‐204MHz帯において有ライセンスの放送事業者が使用していない、局所的に利用可能なテレビ帯ホワイトスペースが描かれている。バージニア州リッチモンドの都市を囲む直径160kmの円形の領域内で、テレビチャネル7，8，9，10，11にテレビ放送が存在する都市が、次の表1に示されている。図4の地図は、174‐204MHz帯において有ライセンスのテレビ放送事業者によってカバーされていない領域を示しており、したがってそこでは局所的に利用可能なテレビ帯ホワイトスペースが存在する。
【表１】
0005529990.tif 000002
【０１０６】
図5Aは、本発明の例示的実施形態に従う機能ブロック図であり、例示的なマスタWSD1がワイヤレスデバイスのためのコントロールノード又は共存イネーブラ111を含むことが描かれている。本発明の例示的実施形態において、このデバイスは、隣接する無線ネットワークにおいて事業を行っている一次利用者電波が存在しないかもしれない、TVWS（テレビ帯ホワイトスペース）共存帯域又は更なるRFスペクトル帯域で動作するように構成されてもよい。
【０１０７】
本発明の例示的実施形態において、マスタWSD1は、無線プロトコルスタック128や、IEEE802.11 MACプロトコルスタック142を含むプロトコルスタックを備える。これらはIEEE802.11WLAN標準に従うものであってもよい。MAC142は、テレビ帯ホワイトスペース機能を搭載している。上記のプロトコルスタックは、ネットワークレイヤ140やトランスポートレイヤ138、アプリケーションプログラム136を含んでもよい。例示的なマスタWSD1はプロセッサ134を備える。プロセッサ134は、デュアルコアやマルチコアのCPUであるCPU_1及びCPU_2や、RAMメモリおよびROMメモリを備えてもよく、また、キーパッドやディスプレイなどの入出力デバイスのためのインタフェースを備えてもよい。マスタWSD1の地理的位置を特定するために、GPSのような位置センサ132が備えられてもよく、WSDの地理的位置は、ネットワークコントローラ又は共存マネージャCM_Cに報告される。共存イネーブラ111は、共存マネージャCM_Cにリソース要求を送信してもよい。MAC142は、共存マネージャCM_Cに再割り当てを受けたテレビ帯ホワイトスペースの中の帯域のチャネルで無線スタック128を使用して、テレビ帯ホワイトスペースで通信を行なう機能を搭載している。スペクトルセンサ134は、マスタWSD1の電磁波環境を測定し、それを共存マネージャCM_Cに報告する。
【０１０８】
本発明の例示的実施形態において、図5Cの地理的位置データベース200が、インターネット105を介して、許可された送信レベルの情報を共存マネージャCM_Cと通信してもよい。CM_Cは、許可された送信レベルの情報を、インターネット105を介してマスタWSD1の共存イネーブラ111に転送してもよい。
【０１０９】
本発明の例示的実施形態において、マスタWSD1は、スペクトル復号ロジック133を備えてもよい。入力データが正しく相関されていないと、OFDM信号の方形パルスは位相において非連続となり、パワースペクトル上で、周波数の変化と共に漸近的に減少する大きなサイドローブが発生する。かかる大きなサイドローブは隣接するチャネルに強い干渉を引き起こすので、送信の前に抑制されねばならない。スペクトル事前処理（precoding）は、システムエラーに関するパフォーマンスや実装の複雑さといったトレードオフなしに、サイドローブのパワーを効率的に抑制する能力を有する。スペクトル事前処理によって、特定のデータ値を用いることなく、周波数ドメインにおいてデータシンボルを事前処理することにより、サイドローブの著しい抑制を達成することができる。固定的な事前処理マトリクスによってデータシンボルを相関させるというアイディアを導くものであって、それによって、スペクトル的に事前処理されたODFM信号の方形パルスには、漸近的に減少するパワースペクトルのサイドローブが極めて少ししか存在せず、従って高いスペクトル効率を示すようにする。スペクトル事前処理は全て可逆であり、従って受信機において、システムエラーに対する良好な特性を提供しつつも、実現可能な復号処理を可能にする。スペクトル復号器の例が、Char-Dir Chung著"Spectral Precoding for Constant-Envelope OFDM", IEEE Transactions on Communications, vol. 58, no. 2, 2010年2月2日，555-567頁に記載されている。
【０１１０】
本発明の例示的実施形態において、図5Aのインタフェース回路は一つ又は複数の無線送受信機やバッテリ等の電力源、キーパッド、タッチスクリーン、ディスプレイ、マイクロホン、スピーカ、イヤーピース、カメラ等のイメージングデバイスなどについてインタフェースを提供してもよい。RAMやROMは着脱可能なメモリ装置であってもよく、例えば図8に描かれるように、スマートカードやSIMカード、無線識別モジュール（WIM）、RAMやROM、PROM、フラッシュメモリのようなものであってもよい。プロセッサプロトコルスタック層、及び／又はアプリケーションプログラムは、RAM及び／又はROMに格納されたプログラムロジックとして具現化されてもよい。そのようなプログラムロジックは、CPUで実行されると例示的実施形態の機能を実行するようにプログラムされた命令のシーケンスのような形を有している。そのようなプログラムロジックは、内蔵メモリデバイスやスマートカード等の着脱自在なメモリデバイスのようなコンピュータ使用可能な形態で、コンピュータプログラム製品又は製造品から、コントロールノード又は共存イネーブラや共存マネージャの書き込み可能なRAMやPROM、フラッシュメモリへ届けられてもよい。別の例では、これらはプログラムロジックアレイや専用デザインのASICのような形態の集積回路ロジックとして具現化されることができる。デバイスの一つ又は複数の無線回路は独立した送受信回路であってもよく、又は、一つ又は複数の無線回路が単一のRFモジュールをなしてもよい。このモジュールは、プロセッサに応答して高速の時間多重又は周波数多重方式のチャネルを扱うことができてもよい。
【０１１１】
図5AのマスタWSD1はプロセッサ134を含むが、これは、処理の最中にプログラムコードやデータを格納するために、ランダムアクセスメモリRAM及び／又はリードオンリーメモリROMにアクセスしてもよい。RAMやROMは、通常、着脱自在型や内蔵型のメモリを含んでもよく、静的又は動的モードで動作することができてもよい。また、RAMやROMはフラッシュメモリやEPROM、EEPROMのような書換可能なメモリを含んでもよい。着脱自在な記憶メディアの例が図8の符号126で示されており、それには、磁気的，電子的，光学的ないずれかの技術に基づくものが含まれており、例えば、磁気ディスクや光ディスク、半導体記憶回路装置、マイクロSDカードが含まれている（SDはSequre Degital標準を表している）。コードは、コンピュータ実行可能な命令を含む、如何なるインタープリタ型又はコンパイル型のコンピュータ言語を含んでもよい。コード及び／又はデータはオペレーティングシステムや通信ユーティリティ、ユーザインタフェース、高度に特定目的化されたプログラムモジュールなどのソフトウェアモジュールを形成するために使用されてもよい。
【０１１２】
図5Bは、本発明の例示的実施形態に従う機能ブロック図であり、例示的なスレーブWSD2が描かれている。本発明の例示的実施形態において、このデバイスは、隣接する無線ネットワークにおいて事業を行っている一次利用者電波が存在しないかもしれない、TVWS（テレビ帯ホワイトスペース）共存帯域又は更なるRFスペクトル帯域で動作するように構成されてもよい。
【０１１３】
本発明の例示的実施形態において、スレーブWSD2は、無線プロトコルスタック128や、IEEE802.11 MACプロトコルスタック142を含むプロトコルスタックを備える。これらはIEEE802.11WLAN標準に従うものであってもよい。MAC142は、テレビ帯ホワイトスペース機能を搭載している。上記のプロトコルスタックは、ネットワークレイヤ140やトランスポートレイヤ138、アプリケーションプログラム136を含んでもよい。例示的なスレーブWSD2はプロセッサ134を備える。プロセッサ134は、デュアルコアやマルチコアのCPUであるCPU_1及びCPU_2や、RAMメモリおよびROMメモリを備えてもよく、また、キーパッドやディスプレイなどの入出力デバイスのためのインタフェースを備えてもよい。スレーブWSD2の地理的位置を特定するために、GPSのような位置センサ134が備えられてもよく、スレーブWSD2の地理的位置は、ネットワークコントローラ又は共存マネージャCM_Cに報告される。MAC142は、共存マネージャCM_Cに再割り当てを受けたテレビ帯ホワイトスペースの中の帯域のチャネルで無線スタック128を使用して、テレビ帯ホワイトスペースで通信を行なう機能を搭載している。スペクトルセンサ130は、スレーブWSD2の電磁波環境を測定し、それをマスタWSDに報告する。マスタWSDはさらなる処理及び共存マネージャCM_Cへ届けてもらうために共存イネーブラにそれを報告してもよい。
【０１１４】
本発明の例示的実施形態において、地理的位置データベース200が、インターネット105を介して、許可された送信レベルの情報を共存マネージャCM_Cと通信してもよい。CM_Cは、許可された送信レベルの情報を、マスタWSD1の共存イネーブラ111およびマスタWSD1そのものを介して、スレーブWSD2に転送してもよい。
【０１１５】
本発明の例示的実施形態において、図5Bのインタフェース回路は一つ又は複数の無線送受信機やバッテリ等の電力源、キーパッド、タッチスクリーン、ディスプレイ、マイクロホン、スピーカ、イヤーピース、カメラ等のイメージングデバイスなどについてインタフェースを提供してもよい。RAMやROMは着脱可能なメモリ装置であってもよく、例えば図8に描かれるように、スマートカードやSIMカード、WIM、RAMやROM、PROM、フラッシュメモリのようなものであってもよい。プロセッサプロトコルスタック層、及び／又はアプリケーションプログラムは、RAM及び／又はROMに格納されたプログラムロジックとして具現化されてもよい。そのようなプログラムロジックは、CPUで実行されると例示的実施形態の機能を実行するようにプログラムされた命令のシーケンスのような形を有している。そのようなプログラムロジックは、内蔵メモリデバイスやスマートカード等の着脱自在なメモリデバイスのようなコンピュータ使用可能な形態で、コンピュータプログラム製品又は製造品から、コントロールノード又は共存イネーブラや共存マネージャの書き込み可能なRAMやPROM、フラッシュメモリへ届けられてもよい。別の例では、これらはプログラムロジックアレイや専用デザインのASICのような形態の集積回路ロジックとして具現化されることができる。デバイスの一つ又は複数の無線回路は独立した送受信回路であってもよく、又は、一つ又は複数の無線回路が単一のRFモジュールをなしてもよい。このモジュールは、プロセッサに応答して高速の時間多重又は周波数多重方式のチャネルを扱うことができてもよい。
【０１１６】
図5BのマスタWSD2はプロセッサ134を含むが、これは、処理の最中にプログラムコードやデータを格納するために、ランダムアクセスメモリRAM及び／又はリードオンリーメモリROMにアクセスしてもよい。RAMやROMは、通常、着脱自在型や内蔵型のメモリを含んでもよく、静的又は動的モードで動作することができてもよい。また、RAMやROMはフラッシュメモリやEPROM、EEPROMのような書換可能なメモリを含んでもよい。着脱自在な記憶メディアの例が図8の符号126で示されており、それには、磁気的，電子的，光学的ないずれかの技術に基づくものが含まれており、例えば、磁気ディスクや光ディスク、半導体記憶回路装置、マイクロSDカードが含まれている。コードは、コンピュータ実行可能な命令を含む、如何なるインタープリタ型又はコンパイル型のコンピュータ言語を含んでもよい。コード及び／又はデータはオペレーティングシステムや通信ユーティリティ、ユーザインタフェース、高度に特定目的化されたプログラムモジュールなどのソフトウェアモジュールを形成するために使用されてもよい。
【０１１７】
図5Cは、本発明のある実施形態に従う例示的なネットワークダイアグラムであり、本発明の例示的実施形態に従い、コントロールノード又は共存イネーブラ111が、ネットワークコントローラ又は共存マネージャCM_Cと、バックホール有線回線及び／又はインターネットリンクを介して通信することが描かれている。本発明のある例示的実施形態では、共存マネージャCM_Cは、地理的位置データベース200及び共存ネットワーク要素CDIS（coexistence discovery and information server）107とインターネット105を介して通信する。
【０１１８】
WSD1のようなマスタWSDは、地理的位置データベース200に利用可能なスペクトルについてクエリを送信してもよい。データベース200は特定の内部構造を有してもよく、例えば、ここで説明される機能を実行するためのプロセッサやメモリ、ソフトウェア／ハードウェアモジュールのような形態の機能ブロックを有していてもよい。このようなブロックは、例えば、スペクトル情報、送信の特性、許される動作パラメータのような情報を送信したり受信したりしてもよい。マスタWSD1は、IEEE802.11上のその通常の通信において、IEEE802.11無線LAN（WLAN）プロトコルを使用するが、TVWSリンク2，3，4上でホワイトスペーススペクトルの通信を行う機能も有している。地理的位置データベース200から返送される情報は、マスタWSD51、その動作領域における関連するスレーブWSD2の両方について、ホワイトスペーススペクトルで動作することを可能にする。TVWSを使用する別の理由もある。例えば優れた伝送特性である。WLANには、通常の通信媒体（例えば2.4GHzや5GHz）が普通利用可能であるが、TVWSについては一次利用者のためにどこでも使用可能であるという訳ではないだろう。
【０１１９】
図6Aは、本発明のある例示的実施形態に従って、ワイヤレスネットワークA2からリソース割り当て要求を受信する、送信元ネットワークコントローラCM_Aにおける処理ステップの例示的な処理フロー図である。図6Aのフロー図600のステップは、マスタホワイトスペースデバイスのRAM及び／又はROMに格納されたコンピュータコード命令を表してもよく、そのような命令は、中央演算ユニット（CPU）に実行されることにより、本発明の例示的実施形態の機能を実行する。これらのステップは描かれているものとは別の順序で実行されることがあり、複数のステップが結合されたり、あるステップがさらなる要素的なステップに分離されたりする場合もある。
【０１２０】
ステップ602：ワイヤレスネットワークのためのリソース割り当てプロポーザルがネットワークコントローラにより計算される。
【０１２１】
ステップ604：計算されたリソース割り当てプロポーザルを含むメッセージが、前記ネットワークコントローラによって、一つ又は複数の他のネットワークコントローラへ送信される。
【０１２２】
ステップ606：前記ネットワークコントローラが、前記送信したメッセージに応じて、前記１つ又は複数の他のネットワークコントローラから前記ワイヤレスネットワークのための別のリソース割り当てプロポーザルを受信しない場合は、前記リソース割り当てプロポーザルを実行に移す。
【０１２３】
図6Bは、本発明のある実施形態に従う例示的なフローダイアグラムであり、送信元ネットワークコントローラCM_Aから衝突リクエスト及びリソース割り当てプロポーザルを受け取るネットワークコントローラCM_Cにおける処理ステップのフローダイアグラムである。
【０１２４】
図6Bのフロー図650のステップは、スレーブホワイトスペースデバイスのRAM及び／又はROMに格納されたコンピュータコード命令を表してもよく、そのような命令は、中央演算ユニット（CPU）に実行されることにより、本発明の例示的実施形態の機能を実行する。これらのステップは描かれているものとは別の順序で実行されることがあり、複数のステップが結合されたり、あるステップがさらなる要素的なステップに分離されたりする場合もある。
【０１２５】
ステップ652：ネットワークコントローラによって、ワイヤレスネットワークのためのリソース割り当てプロポーザルを含むメッセージを、送信元ネットワークコントローラから受信する。
【０１２６】
ステップ654：前記受信したメッセージに高騰して、前記ワイヤレスネットワークのためのリソース割り当てプロポーザルの計算を完了する。
【０１２７】
ステップ656：前記ネットワークコントローラによって、前記計算を完了したリソース割り当てプロポーザルを、前記送信元ネットワークコントローラ及びゼロ以上の他のネットワークコントローラに送信する。
【０１２８】
図6Cは、本発明のある実施形態に従う例示的なフローダイアグラムであり、リソース割り当て要求を送信したワイヤレスネットワークA2に隣接する一つ又は複数のワイヤレスネットワークXにサービスを提供するネットワークコントローラCM_Cにおける処理ステップのフローダイアグラムである。
【０１２９】
図6Cのフロー図680のステップは、スレーブホワイトスペースデバイスのRAM及び／又はROMに格納されたコンピュータコード命令を表してもよく、そのような命令は、中央演算ユニット（CPU）に実行されることにより、本発明の例示的実施形態の機能を実行する。これらのステップは描かれているものとは別の順序で実行されることがあり、複数のステップが結合されたり、あるステップがさらなる要素的なステップに分離されたりする場合もある。
【０１３０】
ステップ682：ワイヤレスネットワークにサービスを提供しているネットワークコントローラによって、一つ又は複数の他のネットワークコントローラから届いたリソース割り当てプロポーザルのランキングを受信する。
【０１３１】
ステップ684：前記ネットワークコントローラによって、リソース割り当てプロポーザルの前記受信したランキングに基づいて、前記一つ又は複数の他のネットワークコントローラから届いた個々のリソース割り当てプロポーザルのためにスコア値を決定する。
【０１３２】
ステップ686：前記ネットワークコントローラによって、前記決定したスコア値に基づいて、リソース割り当てプロポーザルを選択する。
【０１３３】
ステップ688：前記ワイヤレスネットワークにおいて、前記選択されたリソース割り当てプロポーザルを実行に移す。
【０１３４】
図7は、本発明の例示的実施形態に従う例示的な周波数帯域ダイアグラムの例であり、携帯機器通信周波数帯域のアップリンク部分における、ペアリングのない（unpairedの）TDD周波数ホワイトスペース900−905MHzにおけるサブ帯域14'の中の例示的なTDMA共存フレーム24'を描いている。図7は、例示的な携帯デバイス周波数帯の周波数プランの例を描いたものであり、GSMの周波数プランと同様に、アップリック部分が890‐915MHz、他のリンク部分が935‐960MHzとなっている。図7に描かれた例示的な周波数プランにおいて、他のリンク部分における945‐950MHzの間の5MHz帯は、緊急サービス帯などのような他の用途に予約されている。携帯デバイスシステムのTDD動作は、割り当てられるダウンリンク周波数に適合するアップリンク周波数を必要とするため、アップリンク部分には、ペアリングされていない周波数帯域が900‐905MHzに存在する。本発明の例示的実施形態によれば、ペアリングされていない帯域である900‐905MHzは共存帯域として使用することができる。図7は、携帯デバイス周波数帯のアップリンク部分におけるペアリングのない（unpairedの）TDD周波数ホワイトスペース36の中のサブ帯域14'の中の例示的なTDMA共存フレーム24'を示しており、これは、図1Aに描かれる、セル技術に基づくマスタデバイスWSD5及びスレーブデバイスWSD6，WSD7，WSD8によって使用されてもよい。
【０１３５】
図8は、本発明の例示的な実施形態を描いたものであり、磁気的、電子的、及び／又は光学的な技術に基づくリムーバブルな記憶メディア126が描かれており、本発明の少なくとも一つの実施形態に従うコンピュータプログラム製品の例として、データ及び／又はコンピュータプログラムコードを格納するための、例えば磁気ディスクや光ディスク、半導体記憶回路デバイスやマイクロSDメモリカードのようなリムーバブル記憶メディア126の例が描かれている。
【０１３６】
ソフトウェアやファームウェア、ハードウェア、及びこれらの組み合わせをプログラミングするための通常のプログラミング及び／又は工学技術を用いると共に、本明細書で提供される説明を用いることにより、上記の実施形態は、機械、処理、製品として実装されうる。
【０１３７】
結果として得られるプログラムはコンピュータ読み取り可能なプログラムコードを有し、内蔵メモリデバイス、スマートカード又は他の着脱可能な記憶デバイス、送信デバイスのような一つ又は複数の非一時的なコンピュータ使用可能なメディア上に具現化されることができ、それによって、上述の実施形態に従うコンピュータプログラム製品又は製造品を形成する。従って、本明細書で使用される"製造品（article of manufacture）"や"コンピュータプログラム製品（computer program product）"との用語は、如何なるコンピュータ使用可能な媒体においても一時的又は肯定的に存在することもできるコンピュータプログラムを包むものとして使用されることが意図されている。
【０１３８】
上述のように、記憶／格納装置は、ディスクや光学ディスク、スマートカードやSIM，WIMのような着脱可能な記憶デバイス、RAMやROM，PROMのような半導体メモリを含み、またこれらに限定されない。送信メディアは、無線通信ネットワークを介する送信、インターネット、イントラネット、電話／モデムに基づくネットワーク通信、有線／ケーブルによる通信ネットワーク、衛星通信、又はその他の固定的又は移動ネットワークシステム／通信リンクを含み、またこれらに限定されない。
【０１３９】
これまで特定の実施形態を開示してきたが、当業者は、本発明の範囲を逸脱せずにこれらの特定の実施形態に対して変形を施すことが可能であることを理解すべきである。
【図１Ａ】
0005529990.tif 000003
【図１Ｂ】
0005529990.tif 000004
【図１Ｃ】
0005529990.tif 000005
【図１Ｄ】
0005529990.tif 000006
【図１Ｅ】
0005529990.tif 000007
【図１Ｆ】
0005529990.tif 000008
【図１Ｇ】
0005529990.tif 000009
【図１Ｈ】
0005529990.tif 000010
【図１Ｉ】
0005529990.tif 000011
【図２Ａ】
0005529990.tif 000012
【図２Ｂ】
0005529990.tif 000013
【図２Ｃ】
0005529990.tif 000014
【図３】
0005529990.tif 000015
【図４】
0005529990.tif 000016
【図５Ａ】
0005529990.tif 000017
【図５Ｂ】
0005529990.tif 000018
【図５Ｃ】
0005529990.tif 000019
【図６Ａ】
0005529990.tif 000020
【図６Ｂ】
0005529990.tif 000021
【図６Ｃ】
0005529990.tif 000022
【図７】
0005529990.tif 000023
【図８】
0005529990.tif 000024